(57)【特許請求の範囲】
【請求項１】
無線通信システムにおいて、端末（ＵＥ）がＰＲＡＣＨ（Ｐｈｙｓｉｃａｌ  Ｒａｎｄｏｍ  Ａｃｃｅｓｓ  Ｃｈａｎｎｅｌ）を送信する方法であって、
（ｉ）前記ＵＥへ送信される少なくとも一つの同期信号ブロック（Ｓｙｎｃｈｒｏｎｉｚａｔｉｏｎ  Ｓｉｇｎａｌ  Ｂｌｏｃｋ；ＳＳＢ）についての第１の情報及び（ｉｉ）ＰＲＡＣＨリソースを含むＰＲＡＣＨスロットに対するＲＡＣＨ設定についての第２の情報を受信し、
前記第１の情報及び第２の情報に基づいて前記ＰＲＡＣＨリソースの中から、前記少なくとも一つのＳＳＢがマップされうる少なくとも一つの有効ＰＲＡＣＨリソースを取得し、
前記少なくとも一つの有効ＰＲＡＣＨリソースに含まれるリソースの中の前記ＰＲＡＣＨを送信することを含み、
前記ＰＲＡＣＨが送信される前記リソースは、前記ＰＲＡＣＨスロットにおいて、前記少なくとも一つのＳＳＢの最後のＳＳＢが受信されるシンボル以後に割り当てられた少なくとも一つのＰＲＡＣＨリソースであり、
１５，３０，６０及び１２０ＫＨｚを含むサブキャリアスペーシング（ＳＣＳ）の一つが、前記ＰＲＡＣＨの送信に利用され、
前記ＰＲＡＣＨが送信される前記リソースと前記最後のＳＳＢが受信されるシンボルの間の最小ギャップは、前記ＳＣＳに基づいて送信される前記ＰＲＡＣＨに対して、偶数のシンボルを有するように設定される、ＰＲＡＣＨ送信方法。
【請求項２】
前記少なくとも一つの有効ＰＲＡＣＨリソースは、
前記ＰＲＡＣＨリソースの中で、ＵＬ／ＤＬ設定（ｕｐｌｉｎｋ／ｄｏｗｎｌｉｎｋ  ｃｏｎｆｉｇｕｒａｔｉｏｎ）によって下りリンクリソースとして割り当てられていない少なくとも一つのＰＲＡＣＨリソースである、請求項１に記載のＰＲＡＣＨ送信方法。
【請求項３】
前記ＰＲＡＣＨリソースの中で、前記ＵＬ／ＤＬ設定によって上りリンクリソースとして割り当てられたＰＲＡＣＨリソースは、前記少なくとも一つの有効ＰＲＡＣＨリソースに含まれる、請求項２に記載のＰＲＡＣＨ送信方法。
【請求項４】
前記ＰＲＡＣＨに対する副搬送波間隔が１２０ｋＨｚであることに基づいて、前記最小ギャップは２シンボルで構成される、請求項１に記載のＰＲＡＣＨ送信方法。
【請求項５】
無線通信システムにおいて、ＰＲＡＣＨ（Ｐｈｙｓｉｃａｌ  Ｒａｎｄｏｍ  Ａｃｃｅｓｓ  Ｃｈａｎｎｅｌ）を送信するための端末（ＵＥ）であって、
メモリと、
前記メモリと接続したプロセッサとを含み、
前記プロセッサは、
（ｉ）前記ＵＥへ送信される少なくとも一つの同期信号ブロック（Ｓｙｎｃｈｒｏｎｉｚａｔｉｏｎ  Ｓｉｇｎａｌ  Ｂｌｏｃｋ；ＳＳＢ）についての第１の情報及び（ｉｉ）ＰＲＡＣＨリソースを含むＰＲＡＣＨスロットに対するＲＡＣＨ設定についての第２の情報を受信し、
前記第１の情報及び第２の情報に基づいて前記ＰＲＡＣＨリソースの中から、前記少なくとも一つのＳＳＢがマップされうる少なくとも一つの有効ＰＲＡＣＨリソースを取得し、
前記少なくとも一つの有効ＰＲＡＣＨリソースに含まれるリソースの中の前記ＰＲＡＣＨを送信するように構成され、
前記ＰＲＡＣＨが送信される前記リソースは、前記ＰＲＡＣＨスロットにおいて、前記少なくとも一つのＳＳＢの最後のＳＳＢが受信されるシンボル以後に割り当てられた少なくとも一つのＰＲＡＣＨリソースであり、
１５，３０，６０及び１２０ＫＨｚを含むサブキャリアスペーシング（ＳＣＳ）の一つが、前記ＰＲＡＣＨの送信に利用され、
前記ＰＲＡＣＨが送信される前記リソースと前記最後のＳＳＢが受信されるシンボルの間の最小ギャップは、前記ＳＣＳに基づいて送信される前記ＰＲＡＣＨに対して、偶数のシンボルを有するように設定される、通信装置。
【請求項６】
前記少なくとも一つの有効ＰＲＡＣＨリソースは、
前記ＰＲＡＣＨリソースの中で、ＵＬ／ＤＬ設定（ｕｐｌｉｎｋ／ｄｏｗｎｌｉｎｋ  ｃｏｎｆｉｇｕｒａｔｉｏｎ）によって下りリンクリソースとして割り当てられていない少なくとも一つのＰＲＡＣＨリソースである、請求項５に記載の通信装置。
【請求項７】
前記ＰＲＡＣＨリソースの中で、前記ＵＬ／ＤＬ設定によって上りリンクリソースとして割り当てられたＰＲＡＣＨリソースは、前記少なくとも一つの有効ＰＲＡＣＨリソースに含まれる、請求項６に記載の通信装置。
【請求項８】
前記ＰＲＡＣＨに対する副搬送波間隔が１２０ｋＨｚであることに基づいて、前記最小ギャップは２シンボルで構成される、請求項５に記載の通信装置。
【請求項９】
無線通信システムにおいて、基地局がＰＲＡＣＨ（Ｐｈｙｓｉｃａｌ  Ｒａｎｄｏｍ  Ａｃｃｅｓｓ  Ｃｈａｎｎｅｌ）を受信する方法であって、
（ｉ）ＵＥへ送信される少なくとも一つの同期信号ブロック（Ｓｙｎｃｈｒｏｎｉｚａｔｉｏｎ  Ｓｉｇｎａｌ  Ｂｌｏｃｋ；ＳＳＢ）についての第１の情報及び（ｉｉ）ＰＲＡＣＨリソースを含むＰＲＡＣＨスロットに対するＰＲＡＣＨ設定についての第２の情報を送信し、
前記少なくとも一つのＳＳＢがマップできる少なくとも一つの有効ＰＲＡＣＨリソースに含まれるリソースの中の前記ＰＲＡＣＨを受信することを含み、
前記少なくとも一つの有効ＰＲＡＣＨリソースは、前記第１の情報及び第２の情報に基づいて前記ＰＲＡＣＨの中で、設定され、
前記ＰＲＡＣＨが受信される前記リソースは、前記ＰＲＡＣＨスロットにおいて、前記少なくとも一つのＳＳＢの最後のＳＳＢが送信されるシンボル以後に割り当てられた少なくとも一つのＰＲＡＣＨリソースであり、
１５，３０，６０及び１２０ＫＨｚを含むサブキャリアスペーシング（ＳＣＳ）の一つが、前記ＰＲＡＣＨの送信に利用され、
前記ＰＲＡＣＨが受信される前記リソースと前記最後のＳＳＢが送信されるシンボルの間の最小ギャップは、前記ＳＣＳに基づいて受信される前記ＰＲＡＣＨに対して、偶数のシンボルを有するように設定される、ＰＲＡＣＨ受信方法。
【発明の詳細な説明】
【技術分野】
【０００１】
本発明は、物理任意接続チャネル（Ｐｈｙｓｉｃａｌ  Ｒａｎｄｏｍ  Ａｃｃｅｓｓ  Ｃｈａｎｎｅｌ；ＰＲＡＣＨ）を送受信する方法及びそのための装置に関し、より詳細には、ＰＲＡＣＨ設定によって割り当てられたＰＲＡＣＨリソースのうち、実際にＰＲＡＣＨ送信が可能な有効ＰＲＡＣＨリソースを介してＰＲＡＣＨを送信する方法及びそのための装置に関する。
【背景技術】
【０００２】
時代の流れによってより多くの通信装置がより大きな通信容量を要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ  Ｍｏｂｉｌｅ  ＢｒｏａｄＢａｎｄ（ｅＭＢＢ）／Ｕｌｔｒａ−ｒｅｌｉａｂｉｌｉｔｙ  ａｎｄ  ｌｏｗ−ｌａｔｅｎｃｙ  ｃｏｍｍｕｎｉｃａｔｉｏｎ（ＵＲＬＬＣ）／Ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ．ｇ．，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ．ｇ．，ＩｏＴ）。
【発明の概要】
【発明が解決しようとする課題】
【０００４】
本発明は、物理任意接続チャネルを送受信する方法及びそのための装置を提供しようとする。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の実施例による無線通信システムにおいて、端末がＰＲＡＣＨ（Ｐｈｙｓｉｃａｌ  Ｒａｎｄｏｍ  Ａｃｃｅｓｓ  Ｃｈａｎｎｅｌ）を送信する方法であって、同期信号ブロック（Ｓｙｎｃｈｒｏｎｉｚａｔｉｏｎ  Ｓｉｇｎａｌ  Ｂｌｏｃｋ；ＳＳＢ）に関する第１の情報及びＰＲＡＣＨリソースに関する第２の情報を受信して、前記第１の情報及び前記第２の情報に基づいて、前記ＰＲＡＣＨリソースのうち、有効（ｖａｌｉｄ）ＰＲＡＣＨリソースにおいて前記ＰＲＡＣＨを送信することを含み、前記有効ＰＲＡＣＨリソースは、前記第２の情報に関するＰＲＡＣＨスロットに含まれるＰＲＡＣＨリソースのうち、前記ＳＳＢが受信されるシンボル以後に割り当てられたＰＲＡＣＨリソースである。
【０００７】
このとき、前記有効ＰＲＡＣＨリソースは、前記ＰＲＡＣＨリソースのうち、ＵＬ／ＤＬ設定（ｕｐｌｉｎｋ／ｄｏｗｎｌｉｎｋ  ｃｏｎｆｉｇｕｒａｔｉｏｎ）によって下りリンクリソースとして割り当てられていないＰＲＡＣＨリソースである。
【０００８】
また、前記ＰＲＡＣＨリソースのうち、前記ＵＬ／ＤＬ設定によって上りリンクリソースとして割り当てられたＰＲＡＣＨリソースは、前記有効ＰＲＡＣＨリソースである。
【０００９】
また、前記有効ＰＲＡＣＨリソースは、前記ＳＳＢが受信されるシンボルから前記ＰＲＡＣＨリソースのための副搬送波間隔に基づくギャップ以後に割り当てられるＰＲＡＣＨリソースである。
【００１０】
また、前記副搬送波間隔が１２０ｋＨｚである場合、前記ギャップは２シンボルである。
【００１１】
本発明による無線通信システムにおいて、ＰＲＡＣＨ（Ｐｈｙｓｉｃａｌ  Ｒａｎｄｏｍ  Ａｃｃｅｓｓ  Ｃｈａｎｎｅｌ）を送信するための通信装置であって、メモリと、前記メモリと接続したプロセッサとを含み、同期信号ブロック（Ｓｙｎｃｈｒｏｎｉｚａｔｉｏｎ  Ｓｉｇｎａｌ  Ｂｌｏｃｋ；ＳＳＢ）に関する第１の情報及びＰＲＡＣＨリソースに関する第２の情報を受信して、前記第１の情報及び前記第２の情報に基づいて、前記ＰＲＡＣＨリソースのうち、有効（ｖａｌｉｄ）ＰＲＡＣＨリソースにおいて前記ＰＲＡＣＨを送信するように制御することを含み、前記有効ＰＲＡＣＨリソースは、前記第２の情報に関するＰＲＡＣＨスロットに含まれるＰＲＡＣＨリソースのうち、前記ＳＳＢが受信されるシンボル以後に割り当てられたＰＲＡＣＨリソースである。
【００１２】
このとき、前記有効ＰＲＡＣＨリソースは、前記ＰＲＡＣＨリソースのうち、ＵＬ／ＤＬ設定（ｕｐｌｉｎｋ／ｄｏｗｎｌｉｎｋ  ｃｏｎｆｉｇｕｒａｔｉｏｎ）によって下りリンクリソースとして割り当てられていないＰＲＡＣＨリソースである。
【００１３】
また、前記ＰＲＡＣＨリソースのうち、前記ＵＬ／ＤＬ設定によって上りリンクリソースとして割り当てられたＰＲＡＣＨリソースは、前記有効ＰＲＡＣＨリソースである。
【００１４】
また、前記有効ＰＲＡＣＨリソースは、前記ＳＳＢが受信されるシンボルから前記ＰＲＡＣＨリソースのための副搬送波間隔に基づくギャップ以後に割り当てられるＰＲＡＣＨリソースである。
【００１５】
また、前記副搬送波間隔が１２０ｋＨｚである場合、前記ギャップは２シンボルである。
【００１６】
本発明の実施例による無線通信システムにおいて、基地局がＰＲＡＣＨ（Ｐｈｙｓｉｃａｌ  Ｒａｎｄｏｍ  Ａｃｃｅｓｓ  Ｃｈａｎｎｅｌ）を受信する方法であって、同期信号ブロック（Ｓｙｎｃｈｒｏｎｉｚａｔｉｏｎ  Ｓｉｇｎａｌ  Ｂｌｏｃｋ；ＳＳＢ）に関する第１の情報及びＰＲＡＣＨリソースに関する第２の情報を送信して、前記第１の情報及び前記第２の情報に基づいて、前記ＰＲＡＣＨリソースのうち、有効（ｖａｌｉｄ）ＰＲＡＣＨリソースにおいて前記ＰＲＡＣＨを受信することを含み、前記有効ＰＲＡＣＨリソースは、前記第２の情報に関するＰＲＡＣＨスロットに含まれるＰＲＡＣＨリソースのうち、前記ＳＳＢが受信されるシンボル以後に割り当てられたＰＲＡＣＨリソースである。
【発明の効果】
【００１７】
本発明によれば、ＳＳＢなどの送信によってＰＲＡＣＨ送信に衝突が発生するなどの問題点を緩和して、効率的なＰＲＡＣＨ送信が行われるようにすることができる。
【００１８】
本発明で得られる効果は以上に言及した効果に制限されず、言及しなかった他の効果は下記の記載から本発明が属する当該技術分野における当業者に明確に理解されるであろう。
【図面の簡単な説明】
【００１９】
【図１】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図２】３ＧＰＰシステムに用いられる物理チャネル及びこれらを用いた一般的な信号送信方法を説明する図である。
【図３】ＬＴＥシステムにおいて用いられる同期信号（ｓｙｎｃｈｒｏｎｉｚａｔｉｏｎ  ｓｉｇｎａｌ，ＳＳ）の送信のための無線フレーム構造を例示する図である。
【図４】ＮＲシステムにおいて用いられるＳＳ／ＰＢＣＨブロックの構造を説明するための図である。
【図５】ＮＲシステムにおいて用いられる無線フレーム及びスロットの構造を説明するための図である。
【図６】ＮＲシステムにおいて用いられる無線フレーム及びスロットの構造を説明するための図である。
【図７】ＮＲシステムにおいて用いられる無線フレーム及びスロットの構造を説明するための図である。
【図８】送受信器ユニット（ｔｒａｎｓｃｅｉｖｅｒ  ｕｎｉｔ，ＴＸＲＵ）及び物理的アンテナ観点からハイブリッドビームフォーミングの構造を簡単に示した図である。
【図９】下りリンク送信過程において、同期信号及びシステム情報に対するビームスイーピング（Ｂｅａｍ  Ｓｗｅｅｐｉｎｇ）動作を示す図である。
【図１０】新たな無線接続技術（ｎｅｗ  ｒａｄｉｏ  ａｃｃｅｓｓ  ｔｅｃｈｎｏｌｏｇｙ，ＮＲ）システムのセルを例示する図である。
【図１１】本発明の実施例に従って、ＰＲＡＣＨ（Ｐｈｙｓｉｃａｌ  Ｒａｎｄｏｍ  Ａｃｃｅｓｓ  Ｃｈａｎｎｅｌ）を送受信する過程を説明するための図である。
【図１２】本発明の実施例に従って、ＰＲＡＣＨ（Ｐｈｙｓｉｃａｌ  Ｒａｎｄｏｍ  Ａｃｃｅｓｓ  Ｃｈａｎｎｅｌ）を送受信する過程を説明するための図である。
【図１３】本発明の実施例に従って、ＰＲＡＣＨ（Ｐｈｙｓｉｃａｌ  Ｒａｎｄｏｍ  Ａｃｃｅｓｓ  Ｃｈａｎｎｅｌ）を送受信する過程を説明するための図である。
【図１４】ＳＳＢが送信され得る候補ＳＳＢ領域を説明するための図である。
【図１５】ＰＲＡＣＨが送信され得るＰＲＡＣＨ  Ｏｃｃａｓｉｏｎを構成する実施例を説明するための図である。
【図１６】ＰＲＡＣＨ  Ｏｃｃａｓｉｏｎが割り当てられる方法に関する実施例を説明するための図である。
【図１７】ＰＲＡＣＨ  Ｏｃｃａｓｉｏｎが割り当てられる方法に関する実施例を説明するための図である。
【図１８】本発明を実行する無線装置の構成要素を示すブロック図である。
【発明を実施するための形態】
【００２０】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２１】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００２２】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００２３】
３ＧＰＰベース通信標準は、上位層からの情報を運ぶリソース要素に対応する下りリンク物理チャネルと、物理層によって使用されるものの上位層からの情報を運ばないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）、物理ブロードキャストチャネル（ｐｈｙｓｉｃａｌ  ｂｒｏａｄｃａｓｔ  ｃｈａｎｎｅｌ，ＰＢＣＨ）、物理マルチキャストチャネル（ｐｈｙｓｉｃａｌ  ｍｕｌｔｉｃａｓｔ  ｃｈａｎｎｅｌ，ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ，ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ，ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ，ＲＳ）は、ｇＮＢとＵＥとが互いに知っている予め定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ，ＵＥ−ＲＳ）、ポジショニングＲＳ（ｐｏｓｉｔｉｏｎｉｎｇ  ＲＳ，ＰＲＳ）及びチャネル状態情報ＲＳ（ｃｈａｎｎｅｌ  ｓｔａｔｅ  ｉｎｆｏｒｍａｔｉｏｎ  ＲＳ，ＣＳＩ−ＲＳ）が下りリンク参照信号として定義される。３ＧＰＰ  ＬＴＥ／ＬＴＥ−Ａ標準は、上位層からの情報を運ぶリソース要素に対応する上りリンク物理チャネルと、物理層によって用いられるが、上位層からの情報を運ばないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ，ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ，ＰＵＣＣＨ）、物理任意接続チャネル（ｐｈｙｓｉｃａｌ  ｒａｎｄｏｍ  ａｃｃｅｓｓ  ｃｈａｎｎｅｌ，ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ，ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ，ＳＲＳ）が定義される。
【００２４】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／任意接続信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で、或いは、を通じて、上りリンク制御情報／上りリンクデータ／任意接続信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で、或いは、を通じて、下りリンクデータ／制御情報を送信することと同じ意味で使われる。
【００２５】
以下では、ＣＲＳ／ＤＭＲＳ／ＣＳＩ−ＲＳ／ＳＲＳ／ＵＥ−ＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ（ｔｒａｃｋｉｎｇ  ＲＳ，ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００２６】
本発明でいう、ＣＲＳポート、ＵＥ-ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。したがって、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００２７】
図１は、３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは端末（Ｕｓｅｒ  Ｅｑｕｉｐｍｅｎｔ；ＵＥ）とネットワークがコール（ｃａｌｌ）を管理するために用いる制御メッセージが送信される通路を意味する。ユーザプレーンはアプリケーション層で生成されたデータ、例えば、音声データ又はインターネットパケットデータなどが送信される通路を意味する。
【００２８】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して連結される。この送信チャネルを介して媒体接続制御層と物理層の間でデータが移動する。送信側と受信側の物理層の間では物理チャネルを介してデータが移動する。物理チャネルは時間と周波数を無線リソースとして活用する。具体的には、物理チャネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２９】
第２の層である媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現できる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【００３０】
第３の層である最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は無線ベアラ（Ｒａｄｉｏ  Ｂｅａｒｅｒ）の設定（Ｃｏｎｆｉｇｕｒａｔｉｏｎ）、再設定（Ｒｅ− ｃｏｎｆｉｇｕｒａｔｉｏｎ）及び解除（Ｒｅｌｅａｓｅ）に関連して論理チャネル、送信チャネル及び物理チャネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）となり、そうではない場合はＲＲＣ休止状態（Ｉｄｌｅ  Ｍｏｄｅ）となる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３１】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は特の下りＭＣＨ（Ｍｕｌｔｉｃａｓｔ  Ｃｈａｎｎｅｌ）を介して送信されることができる。なお、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位にありかつ送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３２】
図２は、３ＧＰＰシステムに用いられる物理チャネル及びこれらを用いた一般的な信号送信方法を説明する図である。
【００３３】
端末は、電源がオンになったり新たにセルに進入した場合は、基地局と同期を取るなどの初期セル探索（Ｉｎｉｔｉａｌ  ｃｅｌｌ  ｓｅａｒｃｈ）作業を行う（Ｓ２０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信することによって基地局と同期を取り、セルＩＤなどの情報を得ることができる。その後、端末は基地局から物理放送チャネル（Ｐｈｙｓｉｃａｌ  Ｂｒｏａｄｃａｓｔ  Ｃｈａｎｎｅｌ）を受信してセル内の放送情報を得ることができる。なお、端末は初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３４】
初期セル探索を終了した端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに載せられた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を得ることができる（Ｓ２０２）。
【００３５】
一方、基地局に最初に接続したか或いは信号送信のための無線リソースがない場合は、端末は、基地局に対して任意接続過程（Ｒａｎｄｏｍ  Ａｃｃｅｓｓ  Ｐｒｏｃｅｄｕｒｅ；ＲＡＣＨ）を行うことができる（Ｓ２０３〜Ｓ２０６）。このために、端末は、物理任意接続チャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競合ベースのＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００３６】
上述した手順を行った端末は、その後、一般的な上り／下りリンク信号送信の手順として、ＰＤＣＣＨ／ＰＤＳＣＨ受信（Ｓ２０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行う。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報などの制御情報を含み、その使用目的に応じてフォーマットが互いに異なる。
【００３７】
一方、端末が上りリンクを通じて基地局に送信したり又は端末が基地局から受信したりする制御情報は、下り／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は上述したＣＱＩ／ＰＭＩ／ＲＩなどの制御情報をＰＵＳＣＨ及び／又はＰＵＣＣＨを介して送信することができる。
【００３８】
図３は、ＬＴＥ／ＬＴＥ−Ａベースの無線通信システムにおいて、同期信号（ｓｙｎｃｈｒｏｎｉｚａｔｉｏｎ  ｓｉｇｎａｌ，ＳＳ）の送信のための無線フレームの構造を例示する図である。特に、図３は、周波数分割デュプレックス（ｆｒｅｑｕｅｎｃｙ  ｄｉｖｉｓｉｏｎ  ｄｕｐｌｅｘ，ＦＤＤ）において同期信号及びＰＢＣＨの送信のための無線フレームの構造を例示するものであり、図３（ａ）は、正規ＣＰ（ｎｏｒｍａｌ  ｃｙｃｌｉｃ  ｐｒｅｆｉｘ）として設定された（ｃｏｎｆｉｇｕｒｅｄ）無線フレームにおいてＳＳ及びＰＢＣＨの送信位置を示す図であり、図３（ｂ）は、拡張ＣＰ（ｅｘｔｅｎｄｅｄ  ＣＰ）として設定された無線フレームにおいてＳＳ及びＰＢＣＨの送信位置を示す図である。
【００３９】
以下、図３を参照して、ＳＳをより具体的に説明する。ＳＳは、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）とに区分される。ＰＳＳは、ＯＦＤＭシンボル同期、スロット同期などの時間ドメイン同期及び／又は周波数ドメイン同期を得るために用いられ、ＳＳＳは、フレーム同期、セルグループＩＤ及び／又はセルのＣＰ設定（ｃｏｎｆｉｇｕｒａｔｉｏｎ）（即ち、正規ＣＰ又は拡張ＣＰの使用情報）を得るために用いられる。図３を参照すると、ＰＳＳとＳＳＳは、毎無線フレームの２つのＯＦＤＭシンボルでそれぞれ送信される。具体的に、ＳＳは、インター−ＲＡＴ（ｉｎｔｅｒ  ｒａｄｉｏ  ａｃｃｅｓｓ  ｔｅｃｈｎｏｌｏｇｙ）測定を容易にするために、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）フレームの長さである４．６ｍｓを考慮して、サブフレーム０の第１番目のスロットとサブフレーム５の第１番目のスロットでそれぞれ送信される。特に、ＰＳＳは、サブフレーム０の第１番目のスロットの最後のＯＦＤＭシンボルとサブフレーム５の第１番目のスロットの最後のＯＦＤＭシンボルでそれぞれ送信され、ＳＳＳは、サブフレーム０の第１番目のスロットの最後から第２番目のＯＦＤＭシンボルとサブフレーム５の第１番目のスロットの最後から第２番目のＯＦＤＭシンボルでそれぞれ送信される。当該無線フレームの境界は、ＳＳＳによって検出できる。ＰＳＳは、当該スロットの最後のＯＦＤＭシンボルで送信され、ＳＳＳは、ＰＳＳ直前のＯＦＤＭシンボルで送信される。ＳＳの送信ダイバーシティ（ｄｉｖｅｒｓｉｔｙ）方式は、単一アンテナポート（ｓｉｎｇｌｅ  ａｎｔｅｎｎａ  ｐｏｒｔ）のみを用いて、標準では特に定義していない。
【００４０】
ＰＳＳは５ｍｓごとに送信されるため、ＵＥはＰＳＳを検出することで、当該サブフレームがサブフレーム０とサブフレーム５のうち１つであることが分かるが、当該サブフレームがサブフレーム０とサブフレーム５のうちいずれなのかは具体的に分からない。よって、ＵＥは、ＰＳＳのみでは無線フレームの境界が認知できない。即ち、ＰＳＳのみではフレーム同期が得られない。ＵＥは一無線フレームにおいて２回送信されるものの、互いに異なるシーケンスとして送信されるＳＳＳを検出することで無線フレームの境界を検出する。
【００４１】
ＰＳＳ／ＳＳＳを用いたセル（ｃｅｌｌ）探索過程を行い、ＤＬ信号の復調（ｄｅｍｏｄｕｌａｔｉｏｎ）及びＵＬ信号の送信を正確な時点に行うのに必要な時間及び周波数パラメータを決定したＵＥは、また、ｅＮＢからＵＥのシステム設定（ｓｙｓｔｅｍ  ｃｏｎｆｉｇｕｒａｔｉｏｎ）に必要なシステム情報を取得してこそ、前記ｅＮＢと通信することができる。
【００４２】
システム情報は、マスタ情報ブロック（Ｍａｓｔｅｒ  Ｉｎｆｏｒｍａｔｉｏｎ  Ｂｌｏｃｋ，ＭＩＢ）及びシステム情報ブロック（Ｓｙｓｔｅｍ  Ｉｎｆｏｒｍａｔｉｏｎ  Ｂｌｏｃｋ，ＳＩＢ）によって設定される（ｃｏｎｆｉｇｕｒｅｄ）。各システム情報ブロックは、機能的に関連したパラメータの集合を含み、含むパラメータに応じてマスタ情報ブロック（Ｍａｓｔｅｒ  Ｉｎｆｏｒｍａｔｉｏｎ  Ｂｌｏｃｋ，ＭＩＢ）及びシステム情報ブロックタイプ１（Ｓｙｓｔｅｍ  Ｉｎｆｏｒｍａｔｉｏｎ  Ｂｌｏｃｋ  Ｔｙｐｅ  １，ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２，ＳＩＢ２）、ＳＩＢ３−ＳＩＢ１７に区分できる。
【００４３】
ＭＩＢは、ＵＥがｅＮＢのネットワーク（ｎｅｔｗｏｒｋ）に初期接続（ｉｎｉｔｉａｌ  ａｃｃｅｓｓ）するのに必須の、最も頻繁に送信されるパラメータを含む。ＵＥは、ＭＩＢをブロードキャストチャネル（例えば、ＰＢＣＨ）を介して受信することができる。ＭＩＢには、下りリンクシステム帯域幅（ｄｌ-Ｂａｎｄｗｉｄｔｈ，ＤＬ  ＢＷ）、ＰＨＩＣＨ設定（ｃｏｎｆｉｇｕｒａｔｉｏｎ）、システムフレームナンバー（ＳＦＮ）が含まれる。よって、ＵＥは、ＰＢＣＨを受信することで、明示的（ｅｘｐｌｉｃｉｔ）に、ＤＬ  ＢＷ、ＳＦＮ、ＰＨＩＣＨ設定に関する情報が分かる。一方、ＰＢＣＨ受信によってＵＥが暗示的（ｉｍｐｌｉｃｉｔ）に分かる情報としては、ｅＮＢの送信アンテナポートの数がある。ｅＮＢの送信アンテナ数に関する情報は、ＰＢＣＨのエラー検出に用いられる１６−ビットＣＲＣ（Ｃｙｃｌｉｃ  Ｒｅｄｕｎｄａｎｃｙ  Ｃｈｅｃｋ）に送信アンテナ数に対応するシーケンスをマスク（例えば、ＸＯＲ演算）して、暗示的にシグナルリングされる。
【００４４】
ＳＩＢ１は、他のＳＩＢの時間ドメインスケジューリングに関する情報のみならず、特定のセルがセル選択に適したセルであるか否かを判断するのに必要なパラメータを含む。ＳＩＢ１はブロードキャストシグナリング又は専用（ｄｅｄｉｃａｔｅｄ）シグナリングによってＵＥに受信される。
【００４５】
ＤＬ搬送波周波数と当該システム帯域幅は、ＰＢＣＨが運ぶＭＩＢによって得ることができる。ＵＬ搬送波周波数及び当該システム帯域幅は、ＤＬ信号であるシステム情報によって得られる。ＭＩＢを受信したＵＥは、当該セルに対して格納された有効なシステム情報がないと、システム情報ブロックタイプ２（ＳｙｓｔｅｍＩｎｆｏｒｍａｔｉｏｎＢｌｏｃｋＴｙｐｅ２，ＳＩＢ２）が受信されるまで、ＭＩＢ内のＤＬ  ＢＷの値をＵＬ−帯域幅（ＵＬ  ＢＷ）に適用する。例えば、ＵＥは、システム情報ブロックタイプ２（ＳｙｓｔｅｍＩｎｆｏｒｍａｔｉｏｎＢｌｏｃｋＴｙｐｅ２，ＳＩＢ２）を取得して、前記ＳＩＢ２内のＵＬ−搬送波周波数及びＵＬ−帯域幅情報によってＵＥがＵＬ送信に使用可能な全体のＵＬシステム帯域を把握することができる。
【００４６】
周波数ドメインにおいて、ＰＳＳ／ＳＳＳ及びＰＢＣＨは、実際のシステム帯域幅とは関係なく、当該ＯＦＤＭシンボルにおいてＤＣ副搬送波を中心として、左右３個ずつ、全６個のＲＢ、即ち、全７２個の副搬送波内でのみ送信される。よって、ＵＥは、ＵＥに設定された（ｃｏｎｆｉｇｕｒｅｄ）下りリンク送信帯域幅とは関係なく、ＳＳ及びＰＢＣＨを検出（ｄｅｔｅｃｔ）或いは復号（ｄｅｃｏｄｅ）できるように設定される（ｃｏｎｆｉｇｕｒｅｄ）。
【００４７】
初期セル探索を終えたＵＥは、ｅＮＢへの接続を完了するために、任意接続過程（ｒａｎｄｏｍ ａｃｃｅｓｓ ｐｒｏｃｅｄｕｒｅ）を行うことができる。このために、ＵＥは、物理任意接続チャネル（ｐｈｙｓｉｃａｌ ｒａｎｄｏｍ ａｃｃｅｓｓ ｃｈａｎｎｅｌ，ＰＲＡＣＨ）を通じてプリアンブル（ｐｒｅａｍｂｌｅ）を送信し、ＰＤＣＣＨ及びＰＤＳＣＨを通じてプリアンブルへの応答メッセージを受信することができる。競合ベースの任意接続（ｃｏｎｔｅｎｔｉｏｎ  ｂａｓｅｄ  ｒａｎｄｏｍ  ａｃｃｅｓｓ）の場合、更なるＰＲＡＣＨの送信、またＰＤＣＣＨ及びＰＤＣＣＨに対応するＰＤＳＣＨのような衝突解決手順（ｃｏｎｔｅｎｔｉｏｎ  ｒｅｓｏｌｕｔｉｏｎ  ｐｒｏｃｅｄｕｒｅ）を行うことができる。
【００４８】
上述したような手順を行ったＵＥは、その後、一般的な上りリンク／下りリンク信号送信手順として、ＰＤＣＣＨ／ＰＤＳＣＨ受信及びＰＵＳＣＨ／ＰＵＣＣＨ送信を行うことができる。
【００４９】
上述した任意接続過程は、任意接続チャネル（ｒａｎｄｏｍ  ａｃｃｅｓｓ  ｃｈａｎｎｅｌ，ＲＡＣＨ）過程とも呼ばれる。任意接続過程は、初期接続、上りリンク同期調整、リソース割り当て、ハンドオーバーなどの用途など様々に用いられる。任意接続過程は、競合−ベース（ｃｏｎｔｅｎｔｉｏｎ-ｂａｓｅｄ）過程と、専用（ｄｅｄｉｃａｔｅｄ）（即ち、非−競合−ベース）過程とに分類できる。競合−ベースの任意接続過程は、初期接続を含んで一般的に用いられ、専用任意接続過程はハンドオーバーなどに制限的に用いられる。競合−ベースの任意接続過程において、ＵＥはＲＡＣＨプリアンブルシーケンスを任意に（ｒａｎｄｏｍｌｙ）選択する。よって、複数のＵＥが同時に同一のＲＡＣＨプリアンブルシーケンスを送信することが可能であり、これによって、その後に衝突解決手順が必要となる。一方、専用任意接続過程において、ＵＥはｅＮＢが当該ＵＥに唯一に割り当てたＲＡＣＨプリアンブルシーケンスを用いる。よって、他のＵＥとの衝突なく任意接続過程を行うことができる。
【００５０】
競合−ベースの任意接続過程は、以下の４ステップを含む。以下、ステップ１〜４で送信されるメッセージのそれぞれをメッセージ１〜４（Ｍｓｇ１〜Ｍｓｇ４）と称する。
【００５１】
−  ステップ１：ＲＡＣＨプリアンブル（ｖｉａ  ＰＲＡＣＨ）（ＵＥ  ｔｏ  ｅＮＢ）
【００５２】
−  ステップ２：任意接続応答（ｒａｎｄｏｍ  ａｃｃｅｓｓ  ｒｅｓｐｏｎｓｅ，ＲＡＲ）（ｖｉａ  ＰＤＣＣＨ及びＰＤＳＣＨ）（ｅＮＢ  ｔｏ  ＵＥ）
【００５３】
−  ステップ３：レイヤ２／レイヤ３メッセージ（ｖｉａ  ＰＵＳＣＨ）（ＵＥ  ｔｏ  ｅＮＢ）
【００５４】
−  ステップ４：衝突解決（ｃｏｎｔｅｎｔｉｏｎ  ｒｅｓｏｌｕｔｉｏｎ）メッセージ（ｅＮＢ  ｔｏ  ＵＥ）
【００５５】
専用任意接続過程は、以下の３ステップを含む。以下、ステップ０〜２で送信されるメッセージのそれぞれは、メッセージ０〜２（Ｍｓｇ０〜Ｍｓｇ２）と称する。任意接続過程の一部としてＲＡＲに対応する上りリンク送信（即ち、ステップ３）を行うこともできる。専用任意接続過程は、基地局がＲＡＣＨプリアンブル送信を命令するためのＰＤＣＣＨ（以下、ＰＤＣＣＨオーダー（ｏｒｄｅｒ））を用いてトリガされることができる。
【００５６】
−  ステップ０：専用シグナリングによるＲＡＣＨプリアンブル割り当て（ｅＮＢ  ｔｏ  ＵＥ）
【００５７】
−  ステップ１：ＲＡＣＨプリアンブル（ｖｉａ  ＰＲＡＣＨ）（ＵＥ  ｔｏ  ｅＮＢ）
【００５８】
−  ステップ２：任意接続応答（ＲＡＲ）（ｖｉａ  ＰＤＣＣＨ及びＰＤＳＣＨ）（ｅＮＢ  ｔｏ  ＵＥ）
【００５９】
ＲＡＣＨプリアンブルを送信した後、ＵＥは予め−設定された時間ウィンドー内で任意接続応答（ＲＡＲ）の受信を試みる。具体的に、ＵＥは、時間ウィンドー内でＲＡ−ＲＮＴＩ（Ｒａｎｄｏｍ  Ａｃｃｅｓｓ  ＲＮＴＩ）を有するＰＤＣＣＨ（以下、ＲＡ−ＲＮＴＩ  ＰＤＣＣＨ）（例えば、ＰＤＣＣＨにおいてＣＲＣがＲＡ−ＲＮＴＩでマスクされる）の検出を試みる。ＲＡ−ＲＮＴＩ  ＰＤＣＣＨ検出時に、ＵＥは、ＲＡ−ＲＮＴＩ  ＰＤＣＣＨに対応するＰＤＳＣＨ内に、ＵＥのためのＲＡＲが存在するか否かを確認する。ＲＡＲは、ＵＬ同期化のためのタイミングオフセット情報を示すタイミングアドバンス（ｔｉｍｉｎｇ  ａｄｖａｎｃｅ, ＴＡ）情報、ＵＬリソース割り当て情報（ＵＬグラント情報）、仮端末識別子（例えば、ｔｅｍｐｏｒａｒｙ  ｃｅｌｌ−ＲＮＴＩ, ＴＣ−ＲＮＴＩ）などを含む。ＵＥは、ＲＡＲ内のリソース割り当て情報及びＴＡ値に応じてＵＬ送信（例えば、Ｍｓｇ３）を行うことができる。ＲＡＲに対応するＵＬ送信にはＨＡＲＱが適用される。したがって、ＵＥは、Ｍｓｇ３を送信した後、Ｍｓｇ３に対応する受信応答情報（例えば、ＰＨＩＣＨ）を受信することができる。
【００６０】
任意接続プリアンブル、即ち、ＲＡＣＨプリアンブルは、物理層において長さＴＣＰの循環前置（ｃｙｃｌｉｃ  ｐｒｅｆｉｘ）及び長さＴＳＥＱのシーケンスからなる。ＴＣＰのＴＳＥＱは、フレーム構造と任意接続設定（ｃｏｎｆｉｇｕｒａｔｉｏｎ）に依存する。プリアンブルフォーマットは上位層によって制御される。ＲＡＣＨプリアンブルはＵＬサブフレームから送信される。任意接続プリアンブルの送信は、特定の時間及び周波数リソースに制限（ｒｅｓｔｒｉｃｔ）される。このようなリソースをＰＲＡＣＨリソースと呼び、ＰＲＡＣＨリソースは、インデックス０が無線フレームにおいて低い番号のＰＲＢ及びサブフレームに対応するように、前記無線フレーム内のサブフレーム番号と、周波数ドメインにおいてＰＲＢの増加順に番号付けられる。任意接続リソースがＰＲＡＣＨ設定インデックスによって定義される（３ＧＰＰ  ＴＳ  ３６．２１１標準文書を参照）。ＰＲＡＣＨ設定インデックスは（ｅＮＢによって送信される）上位層信号によって与えられる。
【００６１】
ＬＴＥ／ＬＴＥ−Ａシステムにおいて任意接続プリアンブル、即ち、ＲＡＣＨプリアンブルのための副搬送波間隔（Ｓｕｂｃａｒｒｉｅｒ  Ｓｐａｃｉｎｇ）は、プリアンブルフォーマット０〜３の場合は１．２５ｋＨｚであり、プリアンブルフォーマット４の場合は７．５ｋＨｚであると規定される（３ＧＰＰ  ＴＳ  ３６．２１１を参照）。
【００６２】
図４は、ＳＳＢ構造を例示する。端末は、ＳＳＢに基づいて、セル探索（ｓｅａｒｃｈ）、システム情報取得、初期接続のためのビーム整列、ＤＬ測定などを行うことができる。ＳＳＢは、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  ｃｈａｎｎｅｌ）ブロックと混用される。
【００６３】
図４を参照すると、ＳＳＢは、ＰＳＳ、ＳＳＳ及びＰＢＣＨからなる。ＳＳＢは、４個の連続したＯＦＤＭシンボルに構成され、ＯＦＤＭシンボルごとに、ＰＳＳ、ＰＢＣＨ、ＳＳＳ／ＰＢＣＨ及びＰＢＣＨが送信される。ＰＳＳとＳＳＳはそれぞれ、１個のＯＦＤＭシンボルと１２７個の副搬送波からなり、ＰＢＣＨは、３個のＯＦＤＭシンボルと５７６個の副搬送波からなる。ＰＢＣＨには、ポーラーコーディング及びＱＰＳＫ（Ｑｕａｄｒａｔｕｒｅ  Ｐｈａｓｅ  Ｓｈｉｆｔ  Ｋｅｙｉｎｇ）が適用される。ＰＢＣＨは、ＯＦＤＭシンボルごとにデータＲＥとＤＭＲＳ（Ｄｅｍｏｄｕｌａｔｉｏｎ  Ｒｅｆｅｒｅｎｃｅ  Ｓｉｇｎａｌ）ＲＥで構成される。ＲＢごとに３個のＤＭＲＳ  ＲＥが存在して、ＤＭＲＳ  ＲＥ間には、３個のデータＲＥが存在する。
【００６４】
一方、ＮＲシステムは、ＯＦＤＭ送信方式又はこれと類似している送信方式を用いる。新ＲＡＴシステムは、ＬＴＥのＯＦＤＭパラメータとは異なるＯＦＤＭパラメータに従ってもよい。または、新ＲＡＴシステムは、既存のＬＴＥ／ＬＴＥ−Ａのニューマロロジーをそのまま従ってもよく、より大きいシステム帯域幅（例え、１００ＭＨｚ）を有してもよい。または、１つのセルが複数のニューマロロジーを支援してもよい。即ち、互いに異なるニューマロロジーで動作するＵＥが１つのセル内で共存してもよい。
【００６５】
図５は、ＮＲにおいて用いられる無線フレームの構造を例示する。
【００６６】
ＮＲにおいて、上りリンク及び下りリンク送信はフレームからなる。無線フレームは、１０ｍｓの長さを有して、２個の５ｍｓのハーフ−フレーム（Ｈａｌｆ-Ｆｒａｍｅ，ＨＦ）で定義される。ハーフ−フレームは、５個の１ｍｓのサブフレーム（Ｓｕｂｆｒａｍｅ，ＳＦ）で定義される。サブフレームは、１個以上のスロットに分割され、サブフレーム内のスロットの個数は、ＳＣＳ（Ｓｕｂｃａｒｒｉｅｒ  Ｓｐａｃｉｎｇ）に依存する。各スロットは、ＣＰ（ｃｙｃｌｉｃ  ｐｒｅｆｉｘ）に応じて、１２個又は１４個のＯＦＤＭ（Ａ）シンボルを含む。正規ＣＰが用いられる場合、各スロットは、１４個のシンボルを含む。拡張ＣＰが用いられる場合、各スロットは、１２個のシンボルを含む。ここで、シンボルは、ＯＦＤＭシンボル（又は、ＣＰ-ＯＦＤＭシンボル）、ＳＣ-ＦＤＭＡシンボル（又は、ＤＦＴ-ｓ-ＯＦＤＭシンボル）を含むことができる。
【００６７】
表１は、正規ＣＰが用いられる場合、ＳＣＳに応じて各スロットのシンボル数、各フレームのスロット数、及び各サブフレームのスロット数が変更されることを例示する。
【００６８】
【表１】
0006843252.tif 000002
【００６９】
*  Ｎｓｌｏｔｓｙｍｂ：スロットン内のシンボル数  *  Ｎｆｒａｍｅ,ｕｓｌｏｔ：フレーム内のスロット数
【００７０】
*  Ｎｓｕｂｆｒａｍｅ,ｕｓｌｏｔ：サブフレーム内のスロット数
【００７１】
表２は、拡張ＣＰが用いられる場合、ＳＣＳに応じて、各スロットのシンボル数、各フレームのスロット数、及び各サブフレームのスロット数が変更されることを例示する。
【００７２】
【表２】
0006843252.tif 000003
【００７３】
ＮＲシステムでは、１つの端末に組み合わされる複数のセル間において、ＯＦＤＭ（Ａ）ニューマロロジー（ｎｕｍｅｒｏｌｏｇｙ）（例えば、ＳＣＳ、ＣＰ長など）が異なるように設定されてもよい。これにより、同一数のシンボルからなる時間リソース（例えば、ＳＦ、スロット又はＴＴＩ）（便宜上、ＴＵ（Ｔｉｍｅ  Ｕｎｉｔ）と総称）の（絶対時間）区間が組み合わされたセル間において異なるように設定され得る。図６は、ＮＲフレームのスロット構造を例示する。スロットは、時間ドメインにおいて複数のシンボルを含む。例えば、正規ＣＰの場合、１個のスロットが７個のシンボルを含むが、拡張ＣＰの場合、１個のスロットが６個のシンボルを含む。搬送波は、周波数ドメインにおいて複数の副搬送波を含む。ＲＢ（Ｒｅｓｏｕｒｃｅ  Ｂｌｏｃｋ）は、周波数ドメインにおいて複数（例えば、１２）の連続した副搬送波で定義される。ＢＷＰ（Ｂａｎｄｗｉｄｔｈ  Ｐａｒｔ）は、周波数ドメインにおいて複数の連続した（Ｐ）ＲＢで定義され、１つのニューマロロジー（ｎｕｍｅｒｏｌｏｇｙ）（例えば、ＳＣＳ、ＣＰ長など）に対応することができる。搬送波は、最大Ｎ個（例えば、５個）のＢＷＰを含むことができる。データ通信は、活性化したＢＷＰによって行われ、１つの端末には１つのＢＷＰのみが活性化される。リソースグリッドにおいて、各々の要素は、リソース要素（Ｒｅｓｏｕｒｃｅ  Ｅｌｅｍｅｎｔ，ＲＥ）と称され、１個の複素シンボルをマッピングすることができる。
【００７４】
図７は、自己完備型（ｓｅｌｆ-ｃｏｎｔａｉｎｅｄ）スロットの構造を例示する。ＮＲシステムにおいて、フレームは、１個のスロット内に、ＤＬ制御チャネル、ＤＬ又はＵＬデータ、ＵＬ制御チャネルなどをいずれも含める自己完備型の構造を特徴とする。例えば、スロットにおける先頭のＮ個のシンボルは、ＤＬ制御チャネルの送信に用いられ（以下、ＤＬ制御領域）、スロットにおける最後のＭ個のシンボルは、ＵＬ制御チャネルの送信に用いられる（以下、ＵＬ制御領域）。Ｎ及びＭのそれぞれは、０以上の整数である。ＤＬ制御領域とＵＬ制御領域との間にあるリソース領域（以下、データ領域）は、ＤＬデータ送信のために用いられてもよく、ＵＬデータ送信のために用いられてもよい。一例として、以下の構成が考えられる。各区間は、時間順に並んでいる。
【００７５】
１．ＤＬ  ｏｎｌｙ構成
【００７６】
２．ＵＬ  ｏｎｌｙ構成
【００７７】
３．Ｍｉｘｅｄ  ＵＬ-ＤＬ構成
【００７８】
−  ＤＬ領域＋ＧＰ（Ｇｕａｒｄ  Ｐｅｒｉｏｄ）＋ＵＬ制御領域
【００７９】
−  ＤＬ制御領域＋ＧＰ＋ＵＬ領域
【００８０】
*  ＤＬ領域：（i）ＤＬデータ領域、（ii）ＤＬ制御領域＋ＤＬデータ領域
【００８１】
*  ＵＬ領域：（i）ＵＬデータ領域、（ii）ＵＬデータ領域＋ＵＬ制御領域
【００８２】
ＤＬ制御領域ではＰＤＣＣＨが送信され、ＤＬデータ領域ではＰＤＳＣＨが送信される。ＵＬ制御領域ではＰＵＣＣＨが送信され、ＵＬデータ領域ではＰＵＳＣＨが送信される。ＰＤＣＣＨでは、ＤＣＩ（Ｄｏｗｎｌｉｎｋ  Ｃｏｎｔｒｏｌ  Ｉｎｆｏｒｍａｔｉｏｎ）、例えば、ＤＬデータスケジューリング情報、ＵＬデータスケジューリング情報などが送信される。ＰＵＣＣＨでは、ＵＣＩ（Ｕｐｌｉｎｋ  Ｃｏｎｔｒｏｌ  Ｉｎｆｏｒｍａｔｉｏｎ）、例えば、ＤＬデータに対するＡＣＫ／ＮＡＣＫ（Ｐｏｓｉｔｉｖｅ  Ａｃｋｎｏｗｌｅｄｇｅｍｅｎｔ／Ｎｅｇａｔｉｖｅ  Ａｃｋｎｏｗｌｅｄｇｅｍｅｎｔ）情報、ＣＳＩ（Ｃｈａｎｎｅｌ  Ｓｔａｔｅ  Ｉｎｆｏｒｍａｔｉｏｎ）情報、ＳＲ（Ｓｃｈｅｄｕｌｉｎｇ  Ｒｅｑｕｅｓｔ）などが送信される。ＧＰは、基地局及び端末が送信モードから受信モードに切り換える過程、又は受信モードから送信モードに切り換える過程において時間ギャップを提供する。サブフレームにおいて、ＤＬからＵＬに切り換えられる時点の一部のシンボルがＧＰとして設定されてもよい。
【００８３】
一方、ＮＲシステムは、広い周波数帯域を用いて、複数のユーザへの高い送信率を保持しながらデータを送信するために、高い超高周波帯域、即ち、６ＧＨｚ以上のミリメートル周波数帯域を用いる方案を考慮している。３ＧＰＰでは、これをＮＲと称しているが、本発明ではＮＲシステムと称する。しかし、ミリメートル周波数帯域は、高過ぎる周波数帯域を用いることによって、距離による信号の減殺が激しく示される周波数特性を有する。よって、少なくとも６ＧＨｚ以上の帯域を用いるＮＲシステムは、激しい伝播減殺特性を補償するために、信号送信を全方向ではなく特定方向へとエネルギーを集めて送信することで、激しい伝播減殺によるカバレッジ減少の問題を解決する狭ビーム（ｎａｒｒｏｗ ｂｅａｍ）送信法を用いる。しかし、１つの狭ビームのみを用いてサービスする場合、１つの基地局がサービスできる範囲が狭くなるので、基地局は複数の狭ビームを集めて広帯域でサービスすることになる。
【００８４】
ミリメートル周波数帯域、即ち、ミリメートル波長（ｍｉｌｌｉｍｅｔｅｒ ｗａｖｅ, ｍｍＷ）帯域では、波長が短くなり、同一面積に複数のアンテナ要素（ｅｌｅｍｅｎｔ）を取り付けることができる。例えば、１ｃｍ程度の波長の３０ＧＨｚ帯域では、５ ｂｙ ５ｃｍのパネル（ｐａｎｅｌ）に０．５ラムダ（ｌａｍｄａ）（波長）間隔で２−次元（ｄｉｍｅｎｓｉｏｎ）配列の形態として全１００個のアンテナ要素を取り付けることができる。したがって、ｍｍＷでは、複数のアンテナ要素を用いて、ビームフォーミングの利得を高めて、カバレッジを増加させたり、処理量（ｔｈｒｏｕｇｈｐｕｔ）を高めることが考えられる。
【００８５】
ミリメートル周波数帯域で狭ビームを形成するための方法として、基地局やＵＥにおいて数多くのアンテナに適宜な位相差を用いて同信号を送信することで、特定方向のみにおいてエネルギーを高くするビームフォーミング方式が主に考慮されている。このようなビームフォーミング方式には、デジタル基底帯域（ｂａｓｅｂａｎｄ）信号に位相差を形成するデジタルビームフォーミング、変調されたアナログ信号に時間遅れ（即ち、循環シフト）を用いて位相差を形成するアナログビームフォーミング、デジタルビームフォーミングとアナログビームフォーミングとを両方用いるハイブリッドビームフォーミングなどがある。各アンテナ要素で送信パワー及び位相調節ができるようにトランシーバユニット（ｔｒａｎｓｃｅｉｖｅｒ ｕｎｉｔ, ＴＸＲＵ）を有すれば、各周波数リソースに対して独立したビームフォーミングが可能となる。しかし、１００個余りのアンテナ要素の全てにＴＸＲＵを設けるには、コスト面において実効性が落ちる問題がある。即ち、ミリメートル周波数帯域は、激しい伝播減殺の特性を補償するために、数多くのアンテナを使用しなければならず、デジタルビームフォーミングはアンテナの数分だけＲＦコンポーネント（例えば、デジタルアナログコンバータ（ＤＡＣ）、ミキサー（ｍｉｘｅｒ）、電力増幅器（ｐｏｗｅｒ ａｍｐｌｉｆｉｅｒ）、線形増幅器（ｌｉｎｅａｒ ａｍｐｌｉｆｉｅｒ）など）が必要となるため、ミリメートル周波数帯域においてデジタルビームフォーミングを具現するためには、通信機器の値段が増加してしまう問題点がある。したがって、ミリメートル周波数帯域のように、多くのアンテナが必要な場合は、アナログビームフォーミング又はハイブリッドビームフォーミング方式が考慮される。アナログビームフォーミング方式は、１つのＴＸＲＵに複数のアンテナ要素をマッピングし、アナログ位相シフター（ａｎａｌｏｇ ｐｈａｓｅ ｓｈｉｆｔｅｒ）でビーム（ｂｅａｍ）の方向を調節する。かかるアナログビームフォーミング方式は、全帯域において１つのビーム方向のみを形成することができるため、周波数選択的なビームフォーミング（ｂｅａｍｆｏｒｍｉｎｇ, ＢＦ）はできないというデメリットがある。ハイブリッドＢＦは、デジタルＢＦとアナログＢＦとの中間形態であって、Ｑ個のアンテナ要素よりも少ないＢ個のＴＸＲＵを有する方式である。ハイブリッドＢＦの場合、Ｂ個のＴＸＲＵとＱ個のアンテナ要素の連結方式によって差異はあるが、同時に送信可能なビームの方向はＢ個以下に制限される。
【００８６】
上述したように、デジタルビームフォーミングは、送信する又は受信されたデジタル基底帯域信号に対して信号処理を行うため、多重のビームを用いて同時に多方向に信号を送信又は受信することができるが、一方、アナログビームフォーミングは、送信する又は受信されたアナログ信号を変調した状態でビームフォーミングを行うため、１つのビームがカバーできる範囲を超える多方向に信号を同時に送信又は受信することができない。通常、基地局は広帯域送信又は多重アンテナ特性を用いて、同時に複数のユーザと通信を行うが、基地局がアナログ又はハイブリッドビームフォーミングを用いて、１つのビーム方向にアナログビームを形成する場合には、アナログビームフォーミングの特性から、同じアナログビームの方向内に含まれるユーザとしか通信できない。後述する本発明に係るＲＡＣＨリソース割り当て及び基地局のリソース活用方案は、アナログビームフォーミング又はハイブリッドビームフォーミングの特性から生じる制約事項を反映した上で提案される。
【００８７】
図８は、送受信器ユニット（ｔｒａｎｓｃｅｉｖｅｒ ｕｎｉｔ, ＴＸＲＵ）及び物理的アンテナの観点からハイブリッドビームフォーミングの構造を簡単に示した図である。
【００８８】
複数のアンテナが用いられる場合、デジタルビームフォーミングとアナログビームフォーミングとを組み合わせたハイブリッドビームフォーミング法が台頭している。このとき、アナログビームフォーミング（又は、ＲＦビームフォーミング）は、トランシーバ（ＲＦユニット）がプリコーディング（又は、コンバイニング）を行う動作を意味する。ハイブリッドビームフォーミングにおいて、基底帯域（ｂａｓｅｂａｎｄ）ユニットとトランシーバ（ＲＦユニット）はそれぞれプリコーディング（又は、コンバイニング）を行い、これによって、ＲＦチェーン（ｃｈａｉｎ）の数とＤ／Ａ（又はＡ／Ｄ）コンバータの数を減らしながらもデジタルビームフォーミングに近づく性能が出せるというメリットがある。便宜のために、ハイブリッドビームフォーミングの構造は、Ｎ個のＴＸＲＵとＭ個の物理的アンテナとで表現できる。送信端から送信するＬ個のデータレイヤーに対するデジタルビームフォーミングは、Ｎ−ｂｙ−Ｌ行列で表され、その後、変換されたＮ個のデジタル信号は、ＴＸＲＵを経てアナログ信号に変換された後、Ｍ−ｂｙ−Ｎ行列で表されるアナログビームフォーミングが適用される。図６において、デジタルビームの数はＬであり、アナログビームの数はＮである。さらに、ＮＲシステムでは、アナログビームフォーミングをシンボル単位に変更できるように基地局を設計し、特定の地域に位置するＵＥにより効率的なビームフォーミングを支援する方向が考慮されている。ひいては、Ｎ個のＴＸＲＵとＭ個のＲＦアンテナを１つのアンテナパネル（ｐａｎｅｌ）と定義するとき、ＮＲシステムでは、互いに独立したハイブリッドビームフォーミングが適用可能な複数のアンテナパネルを導入する方案まで考慮されている。このように、基地局が複数のアナログビームを活用する場合、各々のＵＥにおいて信号受信に有利なアナログビームが異なることがあるため、少なくとも同期信号、システム情報、ページングなどについては、特定のスロット又はサブフレーム（ｓｕｂｆｒａｍｅ, ＳＦ）において、基地局が適用する複数のアナログビームを各シンボルで変更して、全てのＵＥに受信機会を与えるようにするビームスイーピング動作が考慮されている。
【００８９】
図９は、下りリンク送信過程において同期信号とシステム情報に対するビームスイーピング（Ｂｅａｍ  ｓｗｅｅｐｉｎｇ）動作を示す図である。図９において、Ｎｅｗ  ＲＡＴシステムのシステム情報が放送（Ｂｒｏａｄｃａｓｔｉｎｇ）される物理的リソース又は物理的チャネルをｘＰＢＣＨ（ｐｈｙｓｉｃａｌ  ｂｒｏａｄｃａｓｔ  ｃｈａｎｎｅｌ）と呼ぶ。このとき、１つのシンボルにおいて互いに異なるアンテナパネルに属するアナログビーム（Ａｎａｌｏｇ  ｂｅａｍ）が同時に送信されることができ、各々のアナログビーム（Ａｎａｌｏｇ  ｂｅａｍ）のチャネルを測定するために、図９のように、特定のアンテナパネルに対応する単一アナログビーム（Ａｎａｌｏｇ  ｂｅａｍ）のために送信される参照信号（Ｒｅｆｅｒｅｎｃｅ  ｓｉｇｎａｌ；ＲＳ）であるＢｅａｍ  ＲＳ（ＢＲＳ）を導入する方案が論議されている。このＢＲＳは、複数のアンテナポートに対して定義されることができ、ＢＲＳの各アンテナポートは、単一アナログビーム（Ａｎａｌｏｇ  ｂｅａｍ）に対応することができる。このとき、ＢＲＳとは異なり、同期信号（Ｓｙｎｃｈｒｏｎｉｚａｔｉｏｎ  ｓｉｇｎａｌ）又はｘＰＢＣＨは、任意のＵＥが良好に受信できるように、アナログビームグループ（Ａｎａｌｏｇ  ｂｅａｍ  ｇｒｏｕｐ）に含まれた全てのアナログビーム（Ａｎａｌｏｇ  ｂｅａｍ）のために送信されてもよい。
【００９０】
図１０は、新たな無線接続技術（ｎｅｗ  ｒａｄｉｏ  ａｃｃｅｓｓ  ｔｅｃｈｎｏｌｏｇｙ，ＮＲ）システムのセルを例示する図である。
【００９１】
図１０を参照すると、ＮＲシステムでは、従来のＬＴＥなどの無線通信システムに１つの基地局が１つのセルを形成していたこととは異なり、複数のＴＲＰが１つのセルを構成する方案が論議されている。複数のＴＲＰが１つのセルを構成する場合、ＵＥをサービスするＴＲＰが変更されても、絶えない通信が可能となり、ＵＥの移動性を管理することが容易であるというメリットがある。
【００９２】
ＬＴＥ／ＬＴＥ−Ａシステムにおいて、ＰＳＳ／ＳＳＳは全−方位（ｏｍｎｉ−ｄｉｒｅｃｔｉｏｎ）に送信されるのに対して、ｍｍＷａｖｅを適用するｇＮＢがビーム方向を全−方位に回しながらＰＳＳ／ＳＳＳ／ＰＢＣＨなどの信号をビームフォーミングして送信する方法が考慮されている。このように、ビーム方向を回しながら信号を送信／受信することをビームスイーピング（ｂｅａｍ ｓｗｅｅｐｉｎｇ）又はビームスキャニングという。本発明における「ビームスイーピング」は送信器側の行動であり、「ビームスキャニング」は受信器側の行動である。例えば、ｇＮＢが最大Ｎ個のビーム方向を持つことができると仮定すると、Ｎ個のビーム方向のそれぞれに対してＰＳＳ／ＳＳＳ／ＰＢＣＨなどの信号を送信する。即ち、ｇＮＢは、自分が持つことのできる又は支援しようとする方向をスイーピングしながら、それぞれの方向に対してＰＳＳ／ＳＳＳ／ＰＢＣＨなどの同期信号を送信する。又は、ｇＮＢがＮ個のビームを形成できる場合、いくつかのビームを束ねて１つのビームグループとして構成することができ、各ビームグループでＰＳＳ／ＳＳＳ／ＰＢＣＨが送信／受信されることができる。このとき、１つのビームグループは、１つ以上のビームを含む。同方向に送信されるＰＳＳ／ＳＳＳ／ＰＢＣＨなどの信号が１つのＳＳＢと定義されてもよく、１つのセル内に複数のＳＳＢが存在してもよい。複数のＳＳＢが存在する場合、各々のＳＳＢを区分するために、ＳＳＢインデックスを使用してもよい。例えば、一システムにおいて１０個のビーム方向にＰＳＳ／ＳＳＳ／ＰＢＣＨが送信される場合、同方向へのＰＳＳ／ＳＳＳ／ＰＢＣＨが１つのＳＳＢを構成することができ、当該システムでは、１０個のＳＳＢが存在することと理解されてもよい。本発明において、ビームインデックスは、ＳＳＢインデックスとして解釈されてもよい。
【００９３】
以下、本発明によるＰＲＡＣＨ（Ｐｈｙｓｉｃａｌ  Ｒａｎｄｏｍ  Ａｃｃｅｓｓ  Ｃｈａｎｎｅｌ）を送受信する方法について説明する。
【００９４】
一方、本発明の説明に先立って、本発明で言及するＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）は、ＰＢＣＨを介して取得されたＭＩＢ（Ｍａｓｔｅｒ  Ｉｎｆｏｒｍａｔｉｏｎ  Ｂｌｏｃｋ）に基づいて取得されるシステム情報であって、ＳＩＢ１（Ｓｙｓｔｅｍ  Ｉｎｆｏｒｍａｔｉｏｎ  Ｂｌｏｃｋ  １）とも呼ばれる。
【００９５】
また、本発明で言及するＣＯＲＥＳＥＴとは、端末がＰＤＣＣＨ候補をモニタリングすることのできる、モニタリング機会（Ｏｃｃａｓｉｏｎ）を含む領域である。即ち、ＰＤＣＣＨをモニタリングするための１つ以上の検索空間（Ｓｅａｒｃｈ  Ｓｐａｃｅ）又は検索空間集合（Ｓｅａｒｃｈ  Ｓｐａｃｅ  Ｓｅｔ）を含む領域のことを意味する。
【００９６】
１．初期活性（Ｉｎｉｔｉａｌ  Ａｃｔｉｖｅ）上りリンクＢＷＰ（Ｂａｎｄｗｉｄｔｈ  Ｐａｒｔ）
【００９７】
（１）初期活性上りリンクＢＷＰ設定のための基本（ｄｅｆａｕｌｔ）値及びパラメータ
【００９８】
ＮＲシステムでは、ＩＡＵ（Ｉｎｉｔｉａｌ  Ａｃｔｉｖｅ  ＵＬ）ＢＷＰを定義する。ＩＡＵ  ＢＷＰ設定のための重複指示（ｒｅｄｕｎｄａｎｔ  ｉｎｄｉｃａｔｉｏｎ）を減らすために、暗示的（ｉｍｐｌｉｃｉｔ）設定（Ｃｏｎｆｉｇｕｒａｔｉｏｎ）と、明示的（ｅｘｐｌｉｃｉｔ）設定との２つの方法が考えられる。
【００９９】
即ち、ＩＡＵ  ＢＷＰ設定のための細部パラメートと基本（ｄｅｆａｕｌｔ）値を定義する必要がある。ＢＷＰ設定には、ＢＷＰの帯域幅、ＢＷＰの位置、ＢＷＰの副搬送波間隔、及びＣＰ（ｃｙｃｌｉｃ  ｐｒｅｆｉｘ）サイズが含まれる。
【０１００】
但し、ＩＡＵ  ＢＷＰのニューマロロジーは、ＲＭＳＩ（ｒｅｍａｉｎｉｎｇ  ｍｉｎｉｍｕｍ  ｓｙｓｔｅｍ  ｉｎｆｏｒｍａｔｉｏｎ）を通じて設定される、Ｍｓｇ３  ＰＵＳＣＨのニューマロロジーと同一であるため、ＩＡＵ  ＢＷＰでは、正規（ｎｏｒｍａｌ）ＣＰのみが用いられる。よって、ＩＡＵ  ＢＷＰ設定の場合、ＢＷＰの帯域幅、ＢＷＰの位置及びＢＷＰの副搬送波間隔のみを設定すればよい。
【０１０１】
一方、ＩＡＵ  ＢＷＰの基本（ｄｅｆａｕｌｔ）値は、以下のように定義できる。
【０１０２】
−  ＩＡＵ  ＢＷＰの帯域幅は、初期活性下りリンクＢＷＰ（Ｉｎｉｔｉａｌ  Ａｃｔｉｖｅ  Ｄｏｗｎｌｉｎｋ  ＢＷＰ；ＩＡＤ  ＢＷＰ）と同一である。
【０１０３】
−  Ｐａｉｒｅｄ  Ｓｐｅｃｔｒｕｍの場合、ＩＡＵ  ＢＷＰの位置は、上りリンク搬送波の基準（Ｒｅｆｅｒｅｎｃｅ）位置と同一である。
【０１０４】
−  ＩＡＵ  ＢＷＰのニューマロロジーは、ＩＡＤ  ＢＷＰと同一である。
【０１０５】
（２）ＰＲＡＣＨリソース割り当て（ＰＲＡＣＨ  ｒｅｓｏｕｒｃｅ  ａｓｓｉｇｎｍｅｎｔ）
【０１０６】
Ｍｓｇ．３に対するＰＵＳＣＨの送信と、Ｍｓｇ．４  ＨＡＲＱフィードバックに対するＰＵＣＣＨの送信が初期活性ＵＬ  ＢＷＰ内で行われる。
【０１０７】
但し、ＲＭＳＩによって設定されたＦＤＭに基づく全てのＰＲＡＣＨ  ＯｃｃａｓｉｏｎがＩＡＵ  ＢＷＰ内に限って行われるべきかについては、さらに論議する必要がある。
【０１０８】
仮に、ＦＤＭされたＰＲＡＣＨ  ＯｃｃａｓｉｏｎがＩＡＵ  ＢＷＰの帯域幅外にも割り当てられる場合、ＰＲＡＣＨ送信性能の向上をもたらすことができる。一方、ＦＤＭされた全てのＲＡＣＨ  ＯｃｃａｓｉｏｎがＩＡＵ  ＢＷＰ内に限って割り当てられる場合、ＵＥが不要に無線周波数を再調整することを防止することができる。しかし、ＰＲＡＣＨ  ＯｃｃａｓｉｏｎがＵＥ最小ＢＷ（ＵＥ  Ｍｉｎｉｍｕｍ  Ｂａｎｄｗｉｄｔｈ）内に割り当てられる場合、ＵＥはＲＦ再調整なくＰＲＡＣＨプリアンブルを送信することができる。また、広い帯域幅を支援する性能を有する一部のＵＥには、ＰＲＡＣＨ  ＯｃｃａｓｉｏｎがＵＥ最小ＢＷ内に割り当てられることがＰＲＡＣＨプリアンブルの送信負荷を分散させるというメリットを有することができる。よって、ＦＤＭされたＰＲＡＣＨ  ＯｃａｓｓｉｏｎがＩＡＵ  ＢＷＰの帯域幅外に割り当てられることが許容できる。
【０１０９】
２．スロット内におけるＰＲＡＣＨリソース割り当て（ａｌｌｏｃａｔｉｏｎ）
【０１１０】
（１）スロット内におけるプリアンブルフォーマットＡ０／Ａ１／Ａ２／Ａ３
【０１１１】
仮に、プリアンブルフォーマットＡ／Ｂが設定（Ｃｏｎｆｉｇｕｒａｔｉｏｎ）される場合、ＰＲＡＣＨスロット内の最後のＰＲＡＣＨリソースはフォーマットＢを用いて、ＰＲＡＣＨスロット内の他のＰＲＡＣＨリソースはフォーマットＡを用いる。
【０１１２】
これに加えて、ＰＲＡＣＨスロット内においてフォーマットＡのみを用いる場合が考えられる。何故なら、フォーマットＡはフォーマットＢよりも広いカバレッジを提供するというメリットがあるからである。また、ＦＤＤにおいて、ＰＲＡＣＨプリアンブルは、ＰＲＡＣＨスロット内の最初のＯＦＤＭシンボルからマッピングされることができ、ＰＲＡＣＨスロット内の最後の２個のＯＦＤＭシンボルのうち、少なくとも１個のＯＦＤＭシンボルは、ガードＯＦＤＭシンボルとして用いられることができる。よって、ＮＲシステムにおいて、ＰＲＡＣＨスロット内でフォーマットＡのみを支援してもよく、ｇＮＢは、フォーマットＡのＰＲＡＣＨプリアンブルのみを設定（Ｃｏｎｆｉｇｕｒａｔｉｏｎ）してもよい。
【０１１３】
（２）連続したリソース割り当て（Ｃｏｎｓｅｃｕｔｉｖｅ  Ｒｅｓｏｕｒｃｅ  Ａｌｌｏｃａｔｉｏｎ）
【０１１４】
短いシーケンスに基づくＰＲＡＣＨプリアンブルの場合、スロット内に複数のＲＡＣＨリソースが存在することがある。この場合、ＰＲＡＣＨリソースは、連続又は非連続して割り当てられる。ＰＲＡＣＨリソースの非連続的な割り当ては、柔軟性及び待機時間の減少という観点からメリットがあるものの、ネットワークは、いずれのシンボルがＰＲＡＣＨのために予約されて（ｒｅｓｅｒｖｅｄ）いて、いずれのシンボルがＰＲＡＣＨのための予約されていないかを指示しなければならない。
【０１１５】
しかし、リソース効率及びシグナリングオーバーヘッドを考慮するとき、ＰＲＡＣＨリソースがスロット内において連続して割り当てられた方が好ましい。即ち、ＰＲＡＣＨリソースが連続して割り当てられる場合、ＰＲＡＣＨスロットがＰＲＡＣＨリソースによって完全に占有されない場合があるものの、ＰＲＡＣＨスロットに複数のＰＲＡＣＨリソースが予約された場合、ＰＲＡＣＨリソースは、ＰＲＡＣＨスロット内に連続した配置される必要がある。
【０１１６】
３．有効ＰＲＡＣＨスロット及び有効ＰＲＡＣＨシンボルの誘導（Ｄｅｒｉｖａｔｉｏｎ）
【０１１７】
本格的に、有効ＰＲＡＣＨスロット及び有効ＰＲＡＣＨシンボルを誘導するための詳細な方法を説明するに先立って、有効ＰＲＡＣＨスロット及び有効ＰＲＡＣＨシンボルを誘導して、ＰＲＡＣＨを送受信するＵＥ及び基地局の動作について説明する。
【０１１８】
図１１は、有効ＰＲＡＣＨスロット及び有効ＰＲＡＣＨシンボルを誘導して、ＰＲＡＣＨを送信するＵＥの動作を説明するための図である。
【０１１９】
図１１を参照すると、ＵＥは、実際に送信されたＳＳＢ（Ａｃｔｕａｌ  Ｔｒａｎｓｍｉｔｔｅｄ  ＳＳＢ；ＡＴＳＳ）に関する第１の情報及びＰＲＡＣＨリソース設定のための第２の情報を受信して（Ｓ１１０１）、特定区間の間のスロット及び該当スロットに含まれたシンボルの用途を割り当てるためのＵＬ／ＤＬ設定に関する第３の情報を受信する（Ｓ１１０３）。その後、ＵＥは、第１の情報、第２の情報及び第３の情報のうち少なくとも１つに基づいて有効ＰＲＡＣＨ  Ｏｃｃａｓｉｏｎを導出するが、このとき、有効ＰＲＡＣＨ  Ｏｃｃａｓｉｏｎは、有効ＰＲＡＣＨスロット内に含まれた有効ＰＲＡＣＨシンボルの集合（ｓｅｔ）を意味してもよい（Ｓ１１０５）。ＵＥは、導出された有効ＰＲＡＣＨ  Ｏｃｃａｓｉｏｎを介してＰＲＡＣＨを送信する（Ｓ１１０７）。
【０１２０】
一方、図１２を参照して、本発明の実施例による基地局がＰＲＡＣＨを受信する過程を説明すると、基地局は、実際に送信されたＳＳＢ（Ａｃｔｕａｌ  Ｔｒａｎｓｍｉｔｔｅｄ  ＳＳＢ；ＡＴＳＳ）に関する第１の情報及びＰＲＡＣＨリソース設定のための第２の情報を送信して（Ｓ１２０１）、特定区間の間のスロット及び該当スロットに含まれたシンボルの用途を割り当てるためのＵＬ／ＤＬ設定に関する第３の情報を送信する（Ｓ１２０３）。その後、第１の情報、第２の情報及び第３の情報のうち少なくとも１つに基づいて決定された有効ＰＲＡＣＨ  Ｏｃｃａｓｉｏｎを介してＰＲＡＣＨを受信する（Ｓ１２０５）。
【０１２１】
図１３を参照して、上述した内容をネットワークの観点から説明すると、基地局は、実際に送信されたＳＳＢ（Ａｃｔｕａｌ  Ｔｒａｎｓｍｉｔｔｅｄ  ＳＳＢ；ＡＴＳＳ）に関する第１の情報及びＰＲＡＣＨリソース設定のための第２の情報を送信して（Ｓ１３０１）、特定区間の間のスロット及び該当スロットに含まれたシンボルの用途を割り当てるためのＵＬ／ＤＬ設定に関する第３の情報を送信する（Ｓ１３０３）。その後、ＵＥが第１の情報、第２の情報及び第３の情報のうち少なくとも１つに基づいて有効ＰＲＡＣＨ  Ｏｃｃａｓｉｏｎを決定して（Ｓ１３０５）、決定された有効ＰＲＡＣＨ  Ｏｃｃａｓｉｏｎに基づいてＰＲＡＣＨを送信する（Ｓ１３０７）。
【０１２２】
ここで、上述したＳ１１０５、Ｓ１２０５及びＳ１３０５において、第１の情報、第２の情報及び第３の情報のうち少なくとも１つに基づいて有効ＰＲＡＣＨ  Ｏｃｃａｓｉｏｎを決定する具体的な方法について説明する。
【０１２３】
（１）有効ＰＲＡＣＨスロットの誘導
【０１２４】
ＬＴＥと同様に、ＰＲＡＣＨ設定（Ｃｏｎｆｉｇｕｒａｔｉｏｎ）インデックスは、ＰＲＡＣＨリソースが含まれ得る特定の時間間隔内のスロットパターンを示すために定義される。ＰＲＡＣＨ設定インデックスによって与えられたパターンは、各ＰＲＡＣＨ設定周期の間に繰り返される。このとき、ＰＲＡＣＨ設定周期は、１０／２０／４０ｍｓのいずれか１つであってもよい。ＰＲＡＣＨ設定インデックスの各状態（ｓｔａｔｅ）は、設定周期内におけるＰＲＡＣＨリソースの密度及びＰＲＡＣＨリソースが割り当てられる区間（ｄｕｒａｔｉｏｎ）を示す。一方、ＬＴＥとは異なり、ＮＲシステムでは、ＳＳＢ送信及び動的ＴＤＤ構成によって、上りリンク専用スロットを設定することが必須ではない。
【０１２５】
また、ＰＲＡＣＨ設定周期内においても、ＵＥは、ＳＳＢが送信される時間区間（ｄｕｒａｔｉｏｎ）又は下りリンク専用スロットとして設定された区間では、ＰＲＡＣＨプリアンブルを送信することができない。よって、ＴＤＤにおいて、ＵＥは、ＰＲＡＣＨ設定（Ｃｏｎｆｉｇｕｒａｔｉｏｎ）情報、実際に送信されたＳＳＢに関する情報及び半−静的（ｓｅｍｉ−ｓｔａｔｉｃ）ＤＬ／ＵＬ割り当て（ａｓｓｉｇｎｍｅｎｔ）情報を組み合わせて、有効ＰＲＡＣＨスロットを導出することができる。
【０１２６】
ＮＲでは、ＳＳＢ送信が可能なスロットの位置を定義するが、定義されたスロットが常にＳＳＢ送信のために予約されるわけではない。一方、ＰＲＡＣＨリソースに対するスロットパターンは、ＳＳＢ送信のためのスロット位置に基づいて定められるが、実際に送信されるＳＳＢパターン及び異なるＳＳＢ送信周期をいずれも満たすＰＲＡＣＨリソースに対するスロットパターンを固定することは難しい。
【０１２７】
一方、スロット割り当てのための第一の規則は、実際に送信されたＳＳＢに関する情報が常にＰＲＡＣＨリソース設定（Ｃｏｎｆｉｇｕｒａｔｉｏｎ）より優先することである。また、半−静的（ｓｅｍｉ−ｓｔａｔｉｃ）ＤＬ／ＵＬ割り当て（ａｓｓｉｇｎｍｅｎｔ）に関する情報が２番目の優先順位を有する。換言すれば、実際に送信されたＳＳＢに関する情報、半−静的（ｓｅｍｉ−ｓｔａｔｉｃ）ＤＬ／ＵＬ割り当て（ａｓｓｉｇｎｍｅｎｔ）に関する情報、及びＰＲＡＣＨリソース設定（Ｃｏｎｆｉｇｕｒａｔｉｏｎ）の順に優先順位を有する。よって、上述した内容に基づいて、ＰＲＡＣＨリソースに対するスロット割り当て（ａｌｌｏｃａｔｉｏｎ）規則を以下のように定義することができる。
【０１２８】
−  いずれのスロットがＰＲＡＣＨ設定（Ｃｏｎｆｉｇｕｒａｔｉｏｎ）によってＰＲＡＣＨリソースとして指示されても、該当スロットがＲＭＳＩ内に含まれた実際に送信されたＳＳＢに関する情報に従ってＳＳＢ送信のために用いられるか、該当スロットがＲＭＳＩ内に含まれた半−静的  ＤＬ／ＵＬ割り当て情報によって、下りリンク専用スロット又は「Ｕｎｋｎｏｗｎ」スロットとして割り当てられる場合、該当スロットは、ＰＲＡＣＨリソースとして用いられない。
【０１２９】
−  いずれのスロットがＰＲＡＣＨ設定（Ｃｏｎｆｉｇｕｒａｔｉｏｎ）によってＰＲＡＣＨリソースとして指示され、ＳＳＢの送信周期が長くて、該当スロットがＳＳＢ送信のために用いられない場合、該当スロットは、ＰＲＡＣＨリソースとして用いられる。また、該当スロットがＰＲＡＣＨ設定（Ｃｏｎｆｉｇｕｒａｔｉｏｎ）によってＰＲＡＣＨリソースとして指示され、上りリンク専用スロットとして割り当てられる場合、該当スロットは、ＰＲＡＣＨリソースとして用いられる。
【０１３０】
上述した規則に従って、ＵＥは有効なＰＲＡＣＨスロットを導出することができる。また、導出された有効ＰＲＡＣＨスロットにおいて、ＵＥはＣＢＲＡ及び／又はＣＦＲＡに対するＰＲＡＣＨプリアンブルを送信することができる。半−静的ＤＬ／ＵＬ割り当てによって設定された「Ｕｎｋｎｏｗｎ」スロット又は「Ｕｎｋｎｏｗｎ」ＯＦＤＭシンボルが動的ＳＦＩ（Ｓｌｏｔ  Ｆｏｒｍａｔ  Ｉｎｄｉｃａｔｉｏｎ）又はＤＣＩ（Ｄｏｗｎｌｉｎｋ  Ｃｏｎｔｒｏｌ  Ｉｎｆｏｒｍａｔｉｏｎ）によって、上りリンクスロット又は上りリンクシンボルとして設定（Ｃｏｎｆｉｇｕｒａｔｉｏｎ）される場合、該当スロット又は該当シンボルにおいて、ＵＥはＣＦＲＡに対するＰＲＡＣＨプリアンブルを送信することができる。一方、ＳＦＩ（Ｓｌｏｔ  Ｆｏｒｍａｔ  Ｉｎｄｉｃａｔｉｏｎ）及びＤＣＩ（Ｄｏｗｎｌｉｎｋ  Ｃｏｎｔｒｏｌ  Ｉｎｆｏｒｍａｔｉｏｎ）は、ＵＥ−特定の上位層シグナリングを介して送信されることができる。
【０１３１】
（２）有効ＰＲＡＣＨシンボルの誘導
【０１３２】
ＵＥが有効ＰＲＡＣＨスロットを導出した後、セル特定のシグナリングによって取得されたＰＲＡＣＨプリアンブルフォーマット及びＰＲＡＣＨスロットの開始シンボルインデックスに基づいて、有効ＲＡＣＨシンボルを導出することができる。
【０１３３】
先ず、いずれのスロットがＰＲＡＣＨ  Ｏｃｃａｓｉｏｎとして使用可能なシンボルの数が十分であっても、ＳＳＢが部分的に占有している場合、該当スロットをＰＲＡＣＨスロットとして用いられるかについて説明する。また、該当スロット内のＰＲＡＣＨリソースは、連続して割り当てられないこともある。よって、有効ＰＲＡＣＨスロットの先頭部がＳＳＢによって占有され、残りの有効ＰＲＡＣＨスロット部分においてＰＲＡＣＨリソースが連続して割り当てられるとき、ＰＲＡＣＨ送信が許容され得る。即ち、有効ＰＲＡＣＨシンボルは、ＳＳＢによって占有されたシンボル以後のシンボルの中から定められることができる。
【０１３４】
また、ＵＥが有効ＰＲＡＣＨシンボルを導出するとき、半−静的ＤＬ／ＵＬ割り当て情報が考慮されてもよい。即ち、ＲＭＳＩにおける半−静的ＤＬ／ＵＬ割り当て情報によって、上りリンクとして指示されたシンボルが有効ＰＲＡＣＨシンボルとなり得る。ここで、有効ＰＲＡＣＨシンボルは、ＰＲＡＣＨプリアンブルフォーマットによって求められる連続したシンボルの数を満たさなければならない。また、１つの有効ＰＲＡＣＨシンボル集合（ｓｅｔ）は、１個のＰＲＡＣＨ  Ｏｃｃａｓｉｏｎともいえる。
【０１３５】
（３）ＳＳＢの最後のシンボル及び／又は下りリンク部分以後のＯＦＤＭシンボルギャップ（ｇａｐ）
【０１３６】
上述のように、ＦＲ１及びＦＲ２において、ＰＲＡＣＨスロットで上りリンク部分及びＸ部分に割り当てられ、ＳＳＢに先行するか衝突しないＰＲＡＣＨ  Ｏｃｃａｓｉｏｎのみが有効である。換言すれば、有効なＰＲＡＣＨ  Ｏｃｃａｓｉｏｎは、ＳＳＢの最後のシンボル及び／又は下りリンク部分以後の少なくともＮ個のシンボル以後に位置する。即ち、ＳＳＢの最後のシンボル及び／又は下りリンク部分以後の少なくともＮ個のギャップ（ｇａｐ）を置いて位置する。
【０１３７】
ここで、下りリンクと上りリンクとのギャップとして必要なＯＦＤＭシンボルの数について説明する。このギャップは、Ｍｓｇ．１、即ち、ＰＲＡＣＨプリアンブルの副搬送波間隔に基づいて定められ、Ｍｓｇ．１の副搬送波間隔が１５／３０／６０ｋＨｚである場合、Ｎ＝２である。一方、Ｍｓｇ．１の副搬送波間隔が１２０ｋＨｚである場合、異なるニューマロロジーを有するＯＦＤＭシンボル間のマルチプレクシングを考慮するとき、ＤＬ／ＵＬスイッチングギャップとして偶数のＯＦＤＭシンボルを採択することが可能である。よって、Ｍｓｇ．１の副搬送波間隔が１２０ｋＨｚである場合、Ｎ＝２となり得る。
【０１３８】
一方、２個のＯＦＤＭシンボルがスイッチングギャップとして求められる場合、ＰＲＡＣＨスロットにおいて開始ＯＦＤＭシンボルのインデックスもこれに合わせて設定する必要がある。例えば、図１４（ａ）を参照すると、副搬送波間隔が１５ｋＨｚである場合、最初のＳＳＢの最後のシンボルインデックスは５である。よって、２個のＯＦＤＭシンボルがＤＬ／ＵＬギャップとして求められる場合、ＵＥはインデックス８を有するＯＦＤＭシンボルからＰＲＡＣＨプリアンブルを送信することができる。図１４（ｂ）を参照するとき、ＦＲ２の場合、即ち、副搬送波間隔が１２０ｋＨｚである場合にも、副搬送波間隔が１５ｋＨｚである場合と類似することが分かる。
【０１３９】
よって、ＰＲＡＣＨ  Ｏｃｃａｓｉｏｎの開始ＯＦＤＭシンボルインデックスを偶数インデックスとして定義する。ＦＲ１及びＴＤＤのためのＰＲＡＣＨ設定（Ｃｏｎｆｉｇｕｒａｔｉｏｎ）表において、フォーマットＡ１、Ａ２及びＡ３に対する開始ＯＦＤＭシンボルのインデックスは「８」と定義することができる。また、ＦＲ２及びＴＤＤのためのＰＲＡＣＨ設定表において、フォーマットＡ１、Ａ２、Ａ３及びＣ２に対する開始ＯＦＤＭシンボルのインデックスも「８」と定義することができる。また、ＦＲ１及びＴＤＤのためのＰＲＡＣＨ設定表において、フォーマットＡ２／Ｂ２に対する開始ＯＦＤＭシンボルのインデックスは「２」と定義することができる。
【０１４０】
４．Ｕｎｐａｉｒｅｄ  Ｓｐｅｃｔｒｕｍ及びＦＲ１におけるＰＲＡＣＨ設定
【０１４１】
（１）長いシーケンスに基づくＰＲＡＣＨプリアンブル
【０１４２】
ＦＲ１及びＵｎｐａｉｒｅｄ  Ｓｐｅｃｔｒｕｍのための任意接続設定（Ｃｏｎｆｉｇｕｒａｔｉｏｎ）は、現在、以下の[表３]のように定義されている。
【０１４３】
【表３】
0006843252.tif 000004
【０１４４】
[表３]を参照すると、総７１（＝３０＋６＋６＋２９）個のエントリーが長いシーケンスに基づくＰＲＡＣＨプリアンブルに割り当てられることが分かる。また、[表３]によれば、Ｕｎｐａｉｒｅｄ  ＳｐｅｃｔｒｕｍのＳＳＢ送信領域及びＲＭＳＩ検索空間（Ｓｅａｒｃｈ  Ｓｐａｃｅ）のために、ＤＬ／ＵＬ設定（Ｃｏｎｆｉｇｕｒａｔｉｏｎ）周期において、先頭部に位置したサブフレームを下りリンク及び「Ｕｎｋｎｏｗｎ」として割り当てることができる。また、中間又は最後のサブフレームは、ＰＲＡＣＨ  Ｏｃｃａｓｉｏｎとして割り当てることができる。
【０１４５】
例えば、ＤＬ／ＵＬ設定（Ｃｏｎｆｉｇｕｒａｔｉｏｎ）周期が１０ｍｓである場合、１０ｍｓ区間（ｄｕｒａｔｉｏｎ）内の最後の２個のサブフレーム（即ち、インデックス８及び９のサブフレーム）がＰＲＡＣＨ  Ｏｃｃａｓｉｏｎとして用いられる。また、ＤＬ／ＵＬ設定（Ｃｏｎｆｉｇｕｒａｔｉｏｎ）周期が２ｍｓである場合、１０ｍｓ区間（ｄｕｒａｔｉｏｎ）内の５個のサブフレーム（即ち、インデックス１、３、５、７及び９のサブフレーム）がＰＲＡＣＨ  Ｏｃｃａｓｉｏｎとして用いられる。よって、長いシーケンスのためのＰＲＡＣＨ設定（Ｃｏｎｆｉｇｕｒａｔｉｏｎ）表である[表３]によれば、いくつかのエントリーがＤＬ／ＵＬ設定に不適であることが分かる。特に、以下のエントリーは、ＤＬ／ＵＬ設定に不適である。
【０１４６】
−  ｘ＝１,ｙ＝０,ｓｕｂｆｒａｍｅ＝{{１},  {２},  {５},  {６},  {７},  {１,６},  {１,６},  {２,７},  {３,８},  {３,４,８},  {１,４,６,９}}
【０１４７】
一方、[表３]のようなＰＲＡＣＨ設定（Ｃｏｎｆｉｇｕｒａｔｉｏｎ）は、セルにおけるＰＲＡＣＨ  Ｏｃｃａｓｉｏｎ間の衝突を避けるのに役立つ。しかし、サービングセル内において、ｇＮＢがＤＬ／ＵＬ設定周期（ｐｅｒｉｏｄ）の先頭部でＳＳＢ及びＲＳＭＩ  ＰＤＣＣＨ／ＰＤＳＣＨを送信するとき、ＳＳＢ及びＲＳＭＩ  ＰＤＣＣＨ／ＰＤＳＣＨを送信するための下りリンクチャネルとＰＲＡＣＨ  Ｏｃｃａｓｉｏｎ間の衝突確立はさらに高くなる可能性がある。結果として、ＲＡＣＨ周期内のＰＲＡＣＨ  Ｏｃｃａｓｉｏｎ数が減少する可能性がある。よって、[表３]の少なくとも一部のエントリーを除去した方が好ましい。
【０１４８】
即ち、以下のように、[表３]のフォーマット０、３のパラメータを修正した方が好ましい。
【０１４９】
−  ｘ＝１,ｙ＝０,  ｓｕｂｆｒａｍｅ＝{{３},  {４},  {８},  {９},  {４,９},  {３,４},  {８,９},  {３,４,９},  {４,８,９},  {７,８,９},  {３,４,８,９},  {１,３,５,７,９}}
【０１５０】
上述に従って修正した結果を図１５に示す。即ち、図１５は、ＦＲ１におけるＰＲＡＣＨ  Ｏｃｃａｓｉｏｎのためのサブフレームインデックス及びＵｎｐａｉｒｅｄ  Ｓｐｅｃｔｒｕｍを示す。図１５を参照すると、サブフレームの修正されたインデックスがＤＬ／ＵＬ設定（Ｃｏｎｆｉｇｕｒａｔｉｏｎ）周期（ｐｅｒｉｏｄ）の最後の部分である、２ｍｓ、２,５ｍｓ、５ｍｓ、１０ｍｓに整列されることが分かる。
【０１５１】
（２）短いシーケンスに基づくＰＲＡＣＨプリアンブル
【０１５２】
短いシーケンスに基づくＰＲＡＣＨの設定（Ｃｏｎｆｉｇｕｒａｔｉｏｎ）は、様々な周期（ｐｅｒｉｏｄ）を支援するように構成される。しかし、[表３]に長い周期に対するエントリーがないため、フォーマットＡ１、Ａ２、Ａ３、Ｂ１、Ｂ４、Ｃ０及びＣ４などの一部ＰＲＡＣＨプリアンブルフォーマットのための１６０ｍｓ、８０ｍｓ及び４０ｍｓのような長い周期（ｐｅｒｉｏｄ）の設定が定義される。
【０１５３】
また、長い周期のために、より多いエントリーが割り当てられるが、２０ｍｓ周期のためには、他のフォーマットのために定義された２個のエントリー、即ち、スロットインデックス集合（ｓｅｔ）{２,３,４,７,８,９}及び{７,９}は、フォーマットＡ２のためのエントリーに含まれない。各フォーマットの設定（ｃｏｎｆｉｇｕｒａｔｉｏｎ）を整列するために、以下のように、より多いエントリーを用いることができる。
【０１５４】
１）ＰＲＡＣＨプリアンブルフォーマットＡ２、Ｂ４、Ａ１／Ｂ１、Ａ２／Ｂ２、Ａ３／Ｂ４のためのエントリー
【０１５５】
−  他のフォーマットのために定義されたエントリーのうち、フォーマットＡ２のためのエントリー  
【０１５６】
【表４】
0006843252.tif 000005
【０１５７】
−  他のフォーマットのために定義されたエントリーのうち、フォーマットＢ４のためのエントリー
【０１５８】
【表５】
0006843252.tif 000006
【０１５９】
−  １６０ｍｓ、８０ｍｓ及び４０ｍｓのような長い周期（ｐｅｒｉｏｄ）の設定及び他のフォーマットのために定義されたエントリーのうち、フォーマットＡ１／Ｂ１のためのエントリー  
【０１６０】
【表６】
0006843252.tif 000007
【０１６１】
−  １６０ｍｓ、８０ｍｓ及び４０ｍｓのような長い周期（ｐｅｒｉｏｄ）の設定及び他のフォーマットのために定義されたエントリーのうち、フォーマットＡ２／Ｂ２のためのエントリー  
【０１６２】
【表７】
0006843252.tif 000008
【０１６３】
−  １６０ｍｓ、８０ｍｓ及び４０ｍｓのような長い周期（ｐｅｒｉｏｄ）の設定及び他のフォーマットのために定義されたエントリーのうち、フォーマットＡ３／Ｂ３のためのエントリー
【０１６４】
【表８】
0006843252.tif 000009
【０１６５】
５．ターゲットセルのためのＳＦＮ（Ｓｕｐｅｒ  Ｆｒａｍｅ  Ｎｕｍｂｅｒ）情報及びフレーム境界（Ｂｏｕｎｄａｒｙ）
【０１６６】
ＮＲでは、ＰＲＡＣＨ設定（Ｃｏｎｆｉｇｕｒａｔｉｏｎ）の最も短い周期（ｐｅｒｉｏｄ）が１０ｍｓであるため、ＵＥは、ハンドオーバーを行うとき、フレーム境界情報を取得する必要がある。３ＧＨｚ以下の周波数範囲において、ＮＲ  ＵＥは、ＰＢＣＨ  ＤＭＲＳシーケンスからフレーム境界情報を得ることができる。一方、３ＧＨｚ以上の周波数帯域の場合、ＰＢＣＨデコーディングなく、ターゲットセルに対するフレーム境界情報を知らせる方法を定義する必要がある。また、ＮＲにおいて、１０ｍｓ周期のＰＲＡＣＨエントリーが設定されても、ＳＳＢ対ＰＲＡＣＨ  Ｏｃｃａｓｉｏｎ間の関連パターン周期が１０ｍｓより長い場合、ターゲットセルのＳＦＮ情報が求められることがある。
【０１６７】
ＴＤＤでは、ｇＮＢが２．５ｍｓ以内において緊密に同期化され、同一ＳＦＮがターゲットセルに適用されると仮定することができる。しかし、ＦＤＤでは、緊密な同期化を仮定することが難しい。よって、ｇＮＢがハンドオーバー命令（ｃｏｍｍａｎｄ）によってＵＥにサービングセルとターゲットセルとの間のＳＦＮオフセットのようなＳＦＮ情報を提供することができる。
【０１６８】
６．ＰＲＡＣＨリソース関連（Ａｓｓｏｃｉａｔｉｏｎ）
【０１６９】
（１）有効ＰＲＡＣＨスロット及び有効ＰＲＡＣＨシンボルの誘導
【０１７０】
ＴＤＤ／ＦＤＤにおいて実際に送信されたＳＳＢの時間位置に関係なく、ＰＲＡＣＨ設定によって、ＰＲＡＣＨスロット上にＰＲＡＣＨリソースをマッピングするため、ＵＥは、ＰＲＡＣＨ設定に含まれた情報及びＲＭＳＩを介して送信された実際に送信されたＳＳＢに関する情報を組み合わせて、有効ＰＲＡＣＨスロットを導出する必要がある。また、ＳＳＢ送信のための候補スロット位置が常にＳＳＢ送信のために予約されるのではない。即ち、上述のように、それぞれのＳＳＢが実際に送信されるか否かに関する情報は、ＲＭＳＩ、即ち、実際に送信されたＳＳＢ情報によって指示される。
【０１７１】
換言すれば、ＵＥは、ＲＭＳＩを介して送信される、実際に送信されたＳＳＢの情報及びＰＲＡＣＨ設定情報を組み合わせて、予め定義された規則を考慮して、有効ＰＲＡＣＨスロットを導出する。
【０１７２】
また、ＵＥが有効ＰＲＡＣＨスロットを導出する場合、ＵＥは、シグナリングされたＰＲＡＣＨプリアンブルフォーマット及び全てのセルに特定されたＰＲＡＣＨスロットの開始シンボルインデックスに基づいて有効なＰＲＡＣＨシンボルを導出する。また、ＵＥが有効ＰＲＡＣＨシンボルを導出するとき、即ち、ＳＦＩ（Ｓｌｏｔ  Ｆｏｒｍａｔ  Ｉｎｄｉｃａｔｉｏｎ）によって上りリンクとして表示されたシンボルが有効ＰＲＡＣＨシンボルであり得るため、ＳＦＩを考慮して、有効ＰＲＡＣＨシンボルを導出する必要がある。ここで、有効ＰＲＡＣＨシンボルは、ＰＲＡＣＨプリアンブルフォーマットによって定義された連続したシンボルの数を満たさなければならない。また、１つの有効ＰＲＡＣＨシンボル集合（ｓｅｔ）は、１個のＰＲＡＣＨ  Ｏｃａｓｓｉｏｎとして定義される。
【０１７３】
また、ＰＲＡＣＨリソースが常にＰＲＡＣＨスロットにおいて連続して割り当てられるのか、及びＰＲＡＣＨスロット当たりＰＲＡＣＨ  Ｏｃｃａｓｉｏｎの数が全てのＰＲＡＣＨスロットにわたって同一であるのかを決定する必要があるため、ＰＲＡＣＨスロット当たりＰＲＡＣＨ  Ｏｃｃａｓｉｏｎの数が、セルに応じて異なる場合、明示的なシグナリングが行わなければならない。また、ＵＥがＰＲＡＣＨ  Ｏｃｃａｓｉｏｎの総数を算出するために、ネットワークは、２次元の時間／周波数リソース領域において、ＰＲＡＣＨ−Ｃｏｎｆｉｇ  ｉｎｄｅｘを通じて、ＦＤＭされるＰＲＡＣＨリソースの数をシグナリングする。
【０１７４】
（２）有効ＰＲＡＣＨリソース又は有効ＰＲＡＣＨ  ＯｃｃａｓｉｏｎをＳＳＢにマッピングさせるための規則
【０１７５】
ＰＲＡＣＨ設定周期内において割り当てられるＰＲＡＣＨ  Ｏｃｃａｓｉｏｎの総数が定められた場合、各ＳＳＢをＰＲＡＣＨ  Ｏｃｃａｓｉｏｎにマッピングする方法を決定する必要がある。仮に、ＳＳＢ当たりＰＲＡＣＨ  Ｏｃｃａｓｉｏｎ数が１つである場合、即ち、ＳＳＢ及びＰＲＡＣＨ  Ｏｃｃａｓｉｏｎの１対１のマッピングとなる場合、各ＳＳＢをＰＲＡＣＨ  Ｏｃｃａｓｉｏｎにマッピングする方法は容易に決定できる。何故なら、ＳＳＢを順次方式によってＰＲＡＣＨ  Ｏｃｃａｓｉｏｎにマッピングすればよいからである。同様に、ＦＤＭされたＰＲＡＣＨ  Ｏｃｃａｓｉｏｎがある場合、ＳＳＢは、先にＦＤＭされたＰＲＡＣＨ  Ｏｃｃａｓｉｏｎにマッピングされた後、時間領域のＰＲＡＣＨ  Ｏｃｃａｓｉｏｎにマッピングされた方が好ましい。このとき、ＰＲＡＣＨ  Ｏｃｃａｓｉｏｎの時間周期は、ＰＲＡＣＨ設定周期によって設定される。
【０１７６】
一方、図１６は、４個のシンボル長さを有するＰＲＡＣＨプリアンブルフォーマット、時間スロットにおいて４個のＰＲＡＣＨ  Ｏｃｃａｓｉｏｎ及び開始シンボルインデックスが２と仮定された場合を示す。図１６を参照して、ＳＳＢとＰＲＡＣＨ  Ｏｃｃａｓｉｏｎとのマッピング関係を説明すると、ＦＤＭされたＰＲＡＣＨ  Ｏｃａｓｓｉｏｎが存在するとき、ＳＳＢが先に周波数軸にマッピングされ、次に、時間軸にマッピングされる方式が用いられる。
【０１７７】
ＰＲＡＣＨリソースのマッピングパターン周期は、実際に送信されたＳＳＢ及びＳＳＢの有効ＰＲＡＣＨ  Ｏｃｃａｓｉｏｎとのマッピング規則に基づいて決定されるため、ＰＲＡＣＨリソースのマッピングパターン周期及びＰＲＡＣＨ設定周期は互いに異なり得る。
【０１７８】
より一般のマッピング規則を作成するために、以下の媒介変数を仮定することができる。
【０１７９】
−  Ｘ：ＰＲＡＣＨ  Ｏｃｃａｓｉｏｎの総数
【０１８０】
−  ＮＳＳＢ＿ｐｅｒ＿ＲＯ：ＰＲＡＣＨ  Ｏｃｃａｓｉｏｎ当たりＳＳＢの数
【０１８１】
−  Ｎｓｅｑ＿ｐｅｒ＿ＳＳＢ＿ｐｅｒ＿ＲＯ：ＰＲＡＣＨ送信Ｏｃｃａｓｉｏｎに対するＳＳＢ当たりＣＢＲＡプリアンブルの数
【０１８２】
−  Ｍ：ＳＳＢ当たりＰＲＡＣＨ  Ｏｃｃａｓｉｏｎの数、Ｍは、Ｎｓｅｑ＿ｐｅｒ＿ＳＳＢ／Ｎｓｅｑ＿ｐｅｒ＿ＳＳＢ＿ｐｅｒ＿ＲＯによって取得
【０１８３】
−  Ｆｄ：１つのＳＳＢに同時にマッピング可能なＰＲＡＣＨ  Ｏｃｃａｓｉｏｎの数
【０１８４】
１）Ｍ≧１である場合
【０１８５】
ＳＳＢが多数のＰＲＡＣＨ  Ｏｃｃａｓｉｏｎとマッピングされる１対多のマッピング関係を成し、Ｍの値がＭ>１である整数であり、Ｆｄ＝１である場合、ＴＤＭｅｄ  Ｍ個のＰＲＡＣＨ  Ｏｃｃａｓｉｏｎが順次に１個のＳＳＢにマッピングされることができる。
【０１８６】
換言すれば、ＰＲＡＣＨ  Ｏｃｃａｓｉｏｎ当たりＳＳＢの数である１／Ｍ値が１より小さい場合、ＳＳＢは、ＭだけのＰＲＡＣＨ  Ｏｃｃａｓｉｏｎにマッピングされることができ、このとき、１個のＳＳＢにマッピングされるＰＲＡＣＨ  Ｏｃｃａｓｉｏｎは、連続したＰＲＡＣＨ  Ｏｃｃａｓｉｏｎであり得る。
【０１８７】
仮に、Ｆｄ>１である場合、Ｍ  ＰＲＡＣＨ  Ｏｃｃａｓｉｏｎは、周波数−時間の順にＳＳＢにマッピングされる。好ましくは、Ｍは、Ｆｄの倍数である場合、単一ＳＳＢが一定時間の間にＦＤＭされたＰＲＡＣＨ  Ｏｃｃａｓｉｏｎにマッピングされることができる。仮に、多数のＳＳＢが同一時間内において１個のＰＲＡＣＨ  Ｏｃｃａｓｉｏｎにマッピングされる場合は、ネットワークが同時に多数のＳＳＢに対応するビームを受信可能な方向であることが保障される必要がある。
【０１８８】
２）Ｍ<１である場合
【０１８９】
ここで、多数のＳＳＢが１個のＰＲＡＣＨ  Ｏｃｃａｓｉｏｎにマッピングされる場合、即ち、多対１のマッピングが行われる場合を説明する。Ｍの値が０<Ｍ<１である場合、１／Ｍ＝Ｎにおいて、Ｎは、１個のＰＲＡＣＨ  ＯｃｃａｓｉｏｎにマッピングされるＳＳＢの数と定義して、多数のＳＳＢは、１個のＰＲＡＣＨ  ＯｃｃａｓｉｏｎにＣＤＭされ、多数のＳＳＢに対応するビーム方向は、ネットワークが同時に受信可能な方向であると仮定する。
【０１９０】
ＰＲＡＣＨ  Ｏｃｃａｓｉｏｎに６４個のＰＲＡＣＨプリアンブルインデックスが割り当てられることのように、最大に割り当てられる場合、ＳＳＢのそれぞれにマッピングされたＰＲＡＣＨプリアンブルは、ＰＲＡＣＨプリアンブルがＳＤＭ（Ｓｐａｔｉａｌ  Ｄｉｖｉｓｉｏｎ  Ｍｕｌｔｉｐｌｅ  Ａｃｃｅｓｓ）方式によって受信されるという仮定下、ＰＲＡＣＨ受信性能を増加させるために、ｃｏｍｂ−ｔｙｐｅでマッピングされることができる。
【０１９１】
換言すれば、２個のＳＳＢが１個のＰＲＡＣＨ  Ｏｃｃａｓｉｏｎにマッピングされる場合、他のＰＲＡＣＨプリアンブルインデックスは、上述した２個のＳＳＢにマッピングされる。このとき、ＰＲＡＣＨプリアンブルの受信性能が向上できるように、ＳＳＢ当たり割り当てられた実際の循環シフトは、Ｎ＊Ｎｃｓと定義される。
【０１９２】
一方、多数のＳＳＢが１個のＰＲＡＣＨ  Ｏｃｃａｓｉｏｎに関連するとき、各ＳＳＢに対するＣＢＲＡのプリアンブルインデックスは、ＰＲＡＣＨ性能の向上ために、非連続してマッピングされることができる。また、多数のＳＳＢを多数のＰＲＡＣＨ  Ｏｃａｓｓｉｏｎにマッピングすることを考慮してもよいが、このマッピング方式は、具現の複雑性をもたらすため、マッピングタイプから除外した方がさらに好ましい。
【０１９３】
（３）ＲＡ−ＲＮＴＩに関連するＰＲＡＣＨリソースグループ
【０１９４】
ＰＲＡＣＨリソースグループは、ＰＲＡＣＨリソース又はＰＲＡＣＨ  Ｏｃｃａｓｉｏｎの集合として定義されるが、ここで、ＰＲＡＣＨリソースグループに含まれる各々のＰＲＡＣＨリソースに対するＰＲＡＣＨプリアンブルのＲＡＲ（Ｒａｎｄｏｍ  Ａｃｃｅｓｓ  Ｒｅｓｐｏｎｓｅ）をスケジューリングするＤＣＩは、同一のＲＡ−ＲＮＴＩでマスクされる。
【０１９５】
よって、ＰＲＡＣＨプリアンブルに対するＲＡ−ＲＮＴＩが同一であるため、連続してＴＤＭされた多数のＰＲＡＣＨ  Ｏｃｃａｓｉｏｎが同一ＳＳＢと関連する場合、多数のＰＲＡＣＨ  Ｏｃｃａｓｉｏｎを介して送信されたＰＲＡＣＨプリアンブルに対応するＲＡＲが同時に送信されることができる。
【０１９６】
一方、ＰＲＡＣＨスロット当たり最大１２個のＰＲＡＣＨリソースが割り当てられることを考慮するとき、ＰＲＡＣＨリソース当たりＲＡ−ＲＮＴＩ割り当ては多過ぎて、ＲＡ−ＲＮＴＩの不足をもたらす可能性がある。よって、ＴＤＭされた多数のＰＲＡＣＨリソースが同一のＳＳＢと関連する場合、ＰＲＡＣＨリソースを介して送信されるＰＲＡＣＨプリアンブルに対するＲＡ−ＲＮＴＩは同一である必要がある。
【０１９７】
ＲＡ−ＲＮＴＩがＦＤＭされたＰＲＡＣＨ  Ｏｃｃａｓｉｏｎの間において共有されてもよく、このＰＲＡＣＨ  Ｏｃｃａｓｉｏｎに対応する単一ＲＡＲが送信される場合、同一の規則がＦＤＭされたＰＲＡＣＨ  Ｏｃｃａｓｉｏｎの間に適用されてもよい。ＰＲＡＣＨリソースグループは、ＴＤＭｅｄ及び／又はＦＤＭｅｄ  ＰＲＡＣＨ  Ｏｃｃａｓｉｏｎの集合として設定されてもよく、同一のＲＡ−ＲＮＴＩがＰＲＡＣＨリソースグループによって共有され、最大６４ＲＡＰＩＤがＰＲＡＣＨリソースグループごとに割り当てられる。また、ＰＲＡＣＨリソースグループ、即ち、ＴＤＭされたＰＲＡＣＨ  Ｏｃｃａｓｉｏｎ及びＦＤＭされたＰＲＡＣＨ  Ｏｃｃａｓｉｏｎの数を形成する方法が明示的又は暗示的にシグナリングされる必要がある。
【０１９８】
一方、上述のように、ＰＲＡＣＨリソースグループは、ＳＳＢ対ＰＲＡＣＨ  Ｏｃｃａｓｉｏｎのマッピングに基づいて決定することができる。仮に、Ｍが１より大きい場合、時間及び／又は周波数における多重化ＰＲＡＣＨ  Ｏｃｃａｓｉｏｎは、単一ＳＳＢと関連するＰＲＡＣＨリソースグループであり得る。
【０１９９】
また、ＰＲＡＣＨリソースグループは、多数のＳＳＢと関連する多数のＰＲＡＣＨ  Ｏｃｃａｓｉｏｎを含む。Ｍが１より小さい場合、単一ＰＲＡＣＨ  Ｏｃｃａｓｉｏｎは、多数のＳＳＢと関連するＰＲＡＣＨリソースグループであり得る。一方、Ｍが１である場合、単一ＰＲＡＣＨ  Ｏｃｃａｓｉｏｎは、単一ＳＳＢと関連するＰＲＡＣＨリソースグループであり得る。ここで、ＳＳＢ、ＰＲＡＣＨ  Ｏｃｃａｓｉｏｎ又はＰＲＡＣＨリソースグループ当たりＰＲＡＣＨプリアンブルの最大数は、ＲＡＲにおいてＲＡＰＩＤのビットサイズに応じて常に６４に制限されてもよい。
【０２００】
（４）ＰＲＡＣＨリソースをＰＲＡＣＨプリアンブルにマッピングさせるための規則
【０２０１】
１）ＰＲＡＣＨ  Ｏｃｃａｓｉｏｎ又はＳＳＢ当たりＰＲＡＣＨプリアンブルの数
【０２０２】
ＰＲＡＣＨプリアンブルをＰＲＡＣＨ  Ｏｃｃａｓｉｏｎにマッピングするために、ＵＥが知るべきＰＲＡＣＨプリアンブル及び支援されるＰＲＡＣＨプリアンブル値の範囲に関する情報を[表９]に示す。また、ＵＥは、ＳＳＢ当たりＣＢＲＡ（Ｃｏｎｔｅｎｔｉｏｎ  Ｂａｓｅｄ  Ｒａｎｄｏｍ  Ａｃｃｅｓｓ）に対するＰＲＡＣＨプリアンブルの数及びＳＳＢ当たりＰＲＡＣＨ  Ｏｃｃａｓｉｏｎ数に基づいて、ＰＲＡＣＨ  Ｏｃｃａｓｉｏｎ当たりＰＲＡＣＨプリアンブルの数を算出することができ、ＳＳＢ当たりＰＲＡＣＨ  Ｏｃｃａｓｉｏｎの数をシグナリングすることができる。
【０２０３】
【表９】
0006843252.tif 000010
【０２０４】
Ｍ≧１であるとき、ＣＢＲＡのためのＰＲＡＣＨ  Ｏｃｃａｉｏｎ当たりＰＲＡＣＨプリアンブルの数は、ＳＳＢ当たりＣＢＲＡに対するＰＲＡＣＨプリアンブルの数をＭで除したＰＲＡＣＨプリアンブルの数で算出される。このとき、０ではない余りがある場合、ＰＲＡＣＨ  Ｏｃｃａｓｉｏｎにマッピングされない余りのＰＲＡＣＨプリアンブルは、ＳＳＢに関連する最大又は最小のインデックスを有するＰＲＡＣＨ  Ｏｃｃａｓｉｏｎに割り当てられる。或いは、ＰＲＡＣＨプリアンブルはラウンドロビン方式でＰＲＡＣＨ  Ｏｃｃａｓｉｏｎにマッピングされてもよい。例えば、ＳＳＢ当たりＰＲＡＣＨプリアンブルの数が４８であり、ＳＳＢにマッピングされたＰＲＡＣＨ  Ｏｃｃａｓｉｏｎの数が４である場合、ＰＲＡＣＨ  Ｏｃｃａｓｉｏｎ当たりプリアンブルの数は１２となる。なお、ＳＳＢ当たりＰＲＡＣＨプリアンブルの数が４８であり、ＳＳＢにマッピングされたＰＲＡＣＨ  Ｏｃｃａｓｉｏｎの数が５である場合、各ＰＲＡＣＨ  Ｏｃｃａｓｉｏｎにおいて少なくとも９個のＰＲＡＣＨプリアンブルが用いられる。また、残りの３個のＰＲＡＣＨプリアンブルは、ＳＳＢにマッピングされたＰＲＡＣＨ  Ｏｃｃａｓｉｏｎの各々に対して、周波数−時間の順に従ってＰＲＡＣＨ  Ｏｃｃａｓｉｏｎインデックスに対してマッピングされる。
【０２０５】
一方、Ｍ<１である場合、即ち、複数のＳＳＢが１個のＰＲＡＣＨ  Ｏｃｃａｓｉｏｎにマッピングされ、同一のＲＡ−ＲＮＴＩが複数のＳＳＢの間に共有される場合、ＰＲＡＣＨ  Ｏｃｃａｓｉｏｎ当たりＰＲＡＣＨプリアンブルの数は、最大に６４  ＲＡＰＩＤである。仮に、複数のＳＳＢに対するＰＲＡＣＨプリアンブルの和が６４より大きくない場合、ＵＥはシグナリングされたＰＲＡＣＨ  Ｏｃｃａｓｉｏｎに対するＳＳＢ当たりＰＲＡＣＨプリアンブルの数を用いることができる。しかし、複数のＳＳＢに対するＰＲＡＣＨプリアンブルの和が６４より大きい場合は、ＰＲＡＣＨ  ＯｃｃａｓｉｏｎにおけるＳＳＢ当たりＰＲＡＣＨプリアンブルの数は６４を超えないように、ＵＥによって利用可能なＰＲＡＣＨプリアンブル番号を再計算することができる。例えば、Ｍが１／４であり、ＳＳＢ当たりＰＲＡＣＨプリアンブルの数が１６の場合、４個のＳＳＢに対するＳＳＢ当たりＰＲＡＣＨプリアンブルの和が６４より大きくないため、ＰＲＡＣＨ  Ｏｃｃａｓｉｏｎ当たり１６個のプリアンブルが用いられる。即ち、Ｍが１／４であり、ＳＳＢ当たりＰＲＡＣＨプリアンブルの数は３２であれば、ＰＲＡＣＨ  ＯｃｃａｓｉｏｎのＳＳＢ当たりＰＲＡＣＨプリアンブルの数は１６に制限される。
【０２０６】
一方、複数のＳＳＢが１個のＰＲＡＣＨ  ＯｃｃａｓｉｏｎにマッピングされるＭ<１である場合、ＲＡ−ＲＮＴＩは同一の時間／周波数の位置においてＳＳＢごとに割り当てられる。言い換えれば、Ｍが１／４であり、ＳＳＢ当たりＰＲＡＣＨプリアンブルの数が３２である場合、ＳＳＢに特定されたＲＡ−ＲＮＴＩを有するＰＲＡＣＨ  Ｏｃｃａｓｉｏｎには３２＊４個のＰＲＡＣＨプリアンブルが用いられ、ＰＲＡＣＨ  Ｏｃｃａｓｉｏｎに対する各ＳＳＢ別に相違するＲＡＲを生成する。これは、（仮想）ＳＳＢインデックスを計算するか否かとは関係なく、ＲＡ−ＲＮＴＩを計算する方法に関係している。
【０２０７】
２）ＳＳＢ及びＰＰＲＡＣＨ  ＯｃｃａｓｉｏｎをＰＰＲＡＣＨプリアンブルインデックスにマッピングさせる方法
【０２０８】
ＳＳＢ当たりＰＲＡＣＨプリアンブルの数とＰＲＡＣＨ  Ｏｃｃａｓｉｏｎ当たりＰＲＡＣＨプリアンブルの数は、ＰＲＡＣＨプリアンブルインデックスマッピング規則に従って決定される。ＰＲＡＣＨプリアンブルインデックスは、ＰＲＡＣＨリソースグループ内にマッピングされる。単一ＳＳＢが１個のＰＲＡＣＨリソースグループに関連すると仮定すると、ＰＲＡＣＨプリアンブルインデックスは、ＳＳＢに関連するＰＲＡＣＨ  Ｏｃｃａｓｉｏｎにマッピングされる。
【０２０９】
Ｍ≧１である場合、ＰＲＡＣＨ  Ｏｃｃａｓｉｏｎ当たりＰＲＡＣＨプリアンブルの数がＮｐｒｅａｍｂｌｅ＿ｏｃｃａｓｉｏｎであり、各ＰＲＡＣＨ  Ｏｃｃａｓｉｏｎが＃ｎ(ｎ＝０,  １,  …  ,  Ｍ−１)インデックスを有する場合、ｎ番目のＰＲＡＣＨ  ＯｃｃｓｉｏｎはＰＲＡＣＨプリアンブルインデックス{０〜(Ｎｐｒｅａｍｂｌｅ＿ｏｃｃａｓｉｏｎ−１)＋(ｎ＊ＮＰｒｅａｍｂｌｅ＿ｏｃｃａｓｉｏｎ)}を有する。
【０２１０】
一方、Ｍ<１である場合、ＰＲＡＣＨ  ＯｃｃａｓｉｏｎにおいてＳＳＢ間にＲＡ−ＲＮＴＩが共有されて、ＳＳＢ当たり算出されたＰＲＡＣＨプリアンブルの数がＮｐｒｅａｍｂｌｅ＿ＳＳＢであると仮定すると、ＰＲＡＣＨプリアンブルインデックス{(０〜Ｎｐｒｅａｍｂｌｅ＿ＳＳＢ−１)＋(ｍ＊Ｎｐｒｅａｍｂｌｅ＿ＳＳＢ)}がｍ番目のＳＳＢに割り当てられる。ここで、ｍは実際に送信されたＳＳＢに基づいて再順序化されたＳＳＢインデックスである。また、ＰＲＡＣＨ  Ｏｃｃａｓｉｏｎは、Ｎｐｒｅａｍｂｌｅ＿ｏｃｃａｓｉｏｎに対するＰＲＡＣＨプリアンブルインデックスは、０乃至Ｎｐｒｅａｍｂｌｅ＿ｏｃｃａｓｉｏｎの値を有してもよく、ここでＮｐｒｅａｍｂｌｅ＿ｏｃｃａｓｉｏｎは６４であってもよい。
【０２１１】
なお、各ＳＳＢごとにＲＡ−ＲＮＴＩを割り当て、各ＳＳＢごとにＰＲＡＣＨプリアンブルインデックス{０乃至(Ｎｐｒｅａｍｂｌｅ＿ＳＳＢ−１)}を割り当てる。ＰＲＡＣＨ  Ｏｃｃａｓｉｏｎに関連するＰＲＡＣＨプリアンブルの数は、ｍ＊Ｎｐｒｅａｍｂｌｅ＿ＳＳＢであってもよく、ここで、ｍはＰＲＡＣＨ  Ｏｃｃａｓｉｏｎ上にマッピングされたＳＳＢの数であり、Ｎｐｒｅａｍｂｌｅ＿ＳＳＢはＳＳＢ当たりＰＲＡＣＨプリアンブルの数であり、シグナリングによって取得することができる。
【０２１２】
３）ＰＰＲＡＣＨ  Ｏｃｃａｓｉｏｎ／ＳＳＢをＰＰＲＡＣＨプリアンブルにマッピングさせる方法
【０２１３】
基本的に、ＰＲＡＣＨプリアンブルは、ＰＲＡＣＨ  Ｏｃｃａｓｉｏｎにルートインデックスの循環シフトが増加し、ルートインデックスが増加する方向に割り当てられる。仮に、ＰＲＡＣＨリソースグループがＦｄ＝１であるＴＤＭされたＰＲＡＣＨ  Ｏｃｃａｓｉｏｎからなる場合、ＰＲＡＣＨプリアンブルはＰＲＡＣＨリソースグループにルートインデックスの循環シフトが増加し、ルートインデックスが増加して、時間領域が増加する方向、即ち、ＰＲＡＣＨ  Ｏｃｃａｓｉｏｎ指数が増加する方向に割り当てられる。
【０２１４】
また、ＰＲＡＣＨリソースグループがＦｄ>１であるＴＤＭされたＰＲＡＣＨ  Ｏｃｃａｓｉｏｎからなる場合、ＰＲＡＣＨプリアンブルはＰＲＡＣＨリソースグループにルートインデックスの循環シフトを増加させ、ルートインデックスを増加させ、周波数領域を増加させて、時間領域を増加させる方向に割り当てられる。
【０２１５】
ＰＲＡＣＨプリアンブルシーケンスが各ＰＲＡＣＨリソースグループにおいて相違する場合、通常、ＰＲＡＣＨプリアンブルはルートインデックスの循環シフトを増加させ、ルートインデックスを増加させて、Ｆｄ>１である場合には周波数領域を増加させ、時間領域を増加させる方向に割り当てられる。
【０２１６】
７．ＲＡＲ（Ｒａｎｄｏｍ  Ａｃｃｅｓｓ  Ｒｅｓｐｏｎｓｅ）
【０２１７】
ＲＡＲ送信は、ＲＡ−ＲＮＴＩの算出において考慮される因子（ｆａｃｔｏｒ）の種類と高い相関関係があり、ＰＲＡＣＨリソースグループは、ＲＡＲの基本単位である。ＬＴＥにおいて、ＵＥは、ＲＡＲウィンドー内においてＲＡＲをモニタリングして、ＲＡ−ＲＮＴＩでマスクされたＰＤＣＣＨを検索することを試みる。ＬＴＥにおけるＲＡ−ＲＮＴＩは、ＲＡ−ＲＮＴＩ＝１＋Ｔ＿ｉｄ＋１０*Ｆ＿ｉｄより算出され、ここで、Ｔ＿ｉｄは、サブフレーム番号であり、Ｆ＿ｉｄは、ＴＤＤシステムにおけるＲＡＣＨリソースの周波数位置である。
【０２１８】
一方、ＮＲにおいても、ＲＡＲ受信のためのＲＡ−ＲＮＴＩを決定するが、ＬＴＥと同様な方式によって算出することができ、スロットレベル解決（Ｒｅｓｏｌｕｔｉｏｎ）、シンボルグループインデックス又はシンボルインデックスを考慮する必要があるため、Ｔ＿ｉｄ値を決定する方法がさらに複雑になれる。極端的に、Ｔ＿ｉｄ  Ｒｅｓｏｌｕｔｉｏｎがシンボルレベルである場合、１個のスロットで最大１２個のＲＡ−ＲＮＴＩが算出される。
【０２１９】
このような複雑性を解決するために、ＲＡＣＨリソースグループを考慮してもよいが、ＲＡ−ＲＮＴＩに対するＴ＿ｉｄは、スロットインデックス及びスロット内における開始シンボルインデックスに対する関数のように、時間領域におけるＲＡＣＨリソースグループサイズに基づいて決定される。
【０２２０】
即ち、上述した例をまとめると、ＲＡ−ＲＮＴＩは、ＲＡＣＨリソースグループ内のＲＡＣＨリソース間に共有される。即ち、ＲＡ−ＲＮＴＩは、ＬＴＥと同様な方式によって算出されるが、ＮＲにおけるＴ＿ｉｄは、ＲＡＣＨリソースグループごとに固有値を有して、スロットインデックス及びスロット内の開始シンボルインデックスに対する関数によって決定される。
【０２２１】
上述と同様に、ＲＡ−ＲＮＴＩに対するＦ＿ｉｄは、仮想周波数位置及びＦＤＭされたＲＡＣＨリソースの数（Ｆｄ）を含む周波数のＲＡＣＨリソースサイズを含むことができる。また、上述のように、（仮想）ＳＳＢインデックスは、ＲＡ−ＲＮＴＩを算出するときに考慮してもよい。
【０２２２】
８．ＰＲＡＣＨマスクインデックス（ＰＲＡＣＨ  Ｍａｓｋ  Ｉｎｄｅｘ）
【０２２３】
ＰＲＡＣＨマスクは４ビットであり、ＲＲＣ及びＰＤＣＣＨのいずれもによって用いられる。ＰＲＡＣＨマスクインデックスは、以下の[表１０]のようである。
【０２２４】
【表１０】
0006843252.tif 000011
【０２２５】
ＰＲＡＣＨ  Ｏｃｃａｓｉｏｎグループにおいて、指示されたＳＳＢインデックスに対応する相対的なＰＲＡＣＨ  Ｏｃｃａｓｉｏｎインデックスを指示するための３ビットは、特定のＳＳＢインデックスが連続したＰＲＡＣＨ  Ｏｃｃａｓｉｏｎにマッピングされることを仮定することができる。即ち、ＰＲＡＣＨ  Ｏｃｃａｓｉｏｎ当たりＳＳＢは、１／Ｎであると仮定することができる。一方、３ビットが論理的に連続した８個のＰＲＡＣＨ  Ｏｃｃａｓｉｏｎのうち１個のＰＲＡＣＨ  Ｏｃｃａｓｉｏｎを指示するために用いられてもよい。上述に基づいて、[表１０]に示される３つの状態（即ち、ａｌｌ、ｅｖｅｒｙ  ｅｖｅｎ  ＲＡＣＨ  Ｏｃｃａｓｉｏｎ及びｅｖｅｒｙ  ｏｄｄ  ＲＡＣＨ  Ｏｃｃａｓｉｏｎ）を定義することができる。
【０２２６】
ここで、相対的なＰＲＡＣＨ  Ｏｃｃａｓｉｏｎインデックスの定義が不明確であり、よって、ＰＲＡＣＨ  Ｏｃｃａｓｉｏｎをインデックスする方法を明確にすることが必要である。図１７は、指示されたＳＳＢインデックスに該当するＰＲＡＣＨ  Ｏｃｃａｓｉｏｎに対するインデックシングの例を示す。
【０２２７】
図１７を参照して、ＰＲＡＣＨマスクに対するＰＲＡＣＨ  Ｏｃｃａｓｉｏｎインデックシングを定義すると、以下のようである。
【０２２８】
−  ＳＳＢとＰＲＡＣＨ  Ｏｃｃａｓｉｏｎの関連パターン周期（最大１６０ｍｓ）内において指示されたＳＳＢインデックスのために使用可能なＰＲＡＣＨ  Ｏｃｃａｓｉｏｎの数を算出。
【０２２９】
−  ＰＲＡＣＨ  Ｏｃｃａｓｉｏｎインデックス＃０〜＃７は、最初のＰＲＡＣＨ  Ｏｃｃａｓｉｏｎから最終のＰＲＡＣＨ  Ｏｃｃａｓｉｏｎまで周期的にマッピング。
【０２３０】
−  １個のＰＲＡＣＨ  Ｏｃｃａｓｉｏｎグループは、論理的に連続した８個のＰＲＡＣＨ  Ｏｃｃａｓｉｏｎで構成。
【０２３１】
−  指示されたＰＲＡＣＨ  Ｏｃｃａｓｉｏｎインデックスは、全てのＰＲＡＣＨ  Ｏｃｃａｓｉｏｎグループに適用。
【０２３２】
９．ＰＲＡＣＨ手順（ｐｒｏｃｅｄｕｒｅ）のためのＣＯＲＥＳＥＴ／Ｓｅａｒｃｈ  Ｓｐａｃｅ
【０２３３】
（１）ＰＲＡＣＨ手順（ｐｒｏｃｅｄｕｒｅ）のためのＣＯＲＥＳＥＴ（Ｃｏｎｔｒｏｌ  Ｒｅｓｏｕｒｃｅ  Ｓｅｔ）
【０２３４】
ＵＥがＰＲＡＣＨ  ＯｃｃａｓｉｏｎにおいてＰＲＡＣＨプリアンブルを送信した後、ＵＥは、設定されたＲＡＲウィンドー内でＲＡＲをモニタリングする。ＲＡＲは、ＰＤＳＣＨを介して送信されるため、ＵＥは、ＲＡ−ＲＮＴＩを用いる該当ＰＤＣＣＨをモニタリングして、ＲＡＲをスケジューリングするＤＣＩ（Ｄｏｗｎｌｉｎｋ  Ｃｏｎｔｒｏｌ  Ｉｎｄｉｃａｔｏｒ）を介してＲＡＲのためのＰＤＳＣＨが送信される時間−周波数情報を取得することができる。よって、ＲＡＲをスケジューリングするためのＤＣＩの潜在的なシンボル及びスロット位置である制御リソースセット（ＣＯＲＥＳＥＴ）は、ＰＲＡＣＨ設定（Ｃｏｎｆｉｇｕｒａｔｉｏｎ）情報によってネットワークが端末に指示することができる。具体的に、ＰＲＡＣＨ手順のためのＣＯＲＥＳＥＴに関する情報は、ＲＭＳＩに含まれたＰＲＡＣＨ設定（Ｃｏｎｆｉｇｕｒａｔｉｏｎ）によって伝達される。
【０２３５】
仮に、ＰＲＡＣＨ手順のためのＣＯＲＥＳＥＴ設定（Ｃｏｎｆｉｇｕｒａｔｉｏｎ）が設定されない場合、ＲＭＳＩ受信のためのＣＯＲＥＳＥＴがＰＲＡＣＨ手順のために用いられる。即ち、ＰＲＡＣＨ手順の間に、ｍｓｇ．２／ｍｓｇ．３再送信／ｍｓｇ．４スケジューリングのようなＰＤＣＣＨ送信に関わる全てのメッセージは、同一のＣＯＲＥＳＥＴを共有する。
【０２３６】
（２）ＰＲＡＣＨ手順のためのモニタリングウィンドー
【０２３７】
ＵＥは、ＰＲＡＣＨプリアンブルを送信した後に設定されたウィンドー内でＲＡＲをモニタリングする。また、多重ビーム動作によって、ＲＡＲに対するＤＣＩのみならず、ｍｓｇ．３再送信／ｍｓｇ．４スケジューリングのためのＤＣＩも設定されたウィンドー内でモニタリングされる。
【０２３８】
具体的に、各メッセージのためのウィンドーサイズが必ずしも異なる必要がないため、ＲＡＲ受信、ｍｓｇ．３再送信のためのＤＣＩ及びｍｓｇ．４スケジューリング受信のためのＤＣＩのために設定されたウィンドーのサイズは同一であってもよい。一方、ＲＡＲ受信のためのモニタリングウィンドーは、ＵＥがＰＲＡＣＨプリアンブルを送信した後、最小タイミングギャップを考慮した最初の「有効な」下りリンクスロットから始める。これと同様に、ｍｓｇ．３再送信／ｍｓｇ．４スケジューリングに対するモニタリングウィンドーは、ＵＥがｍｓｇ．３を送信した後、最初の有効な下りリンクスロットから始める。
【０２３９】
（３）ＰＲＡＣＨ手順のためのモニタリングＯｃｃａｓｉｏｎｓ
【０２４０】
ＵＥは、ＰＲＡＣＨメッセージ受信のために、モニタリングウィンドー内の全てのスロットをモニタリングした方が好ましい。よって、ＵＥがモニタリングすべき各スロット内のモニタリング対称となるシンボル、即ち、モニタリングＯｃｃａｓｉｏｎを明確にする必要がある。ブロードキャストシステム情報がＳＳＢインデックスと関連して送信されることとは異なり、ＰＲＡＣＨ手順のためのメッセージは、必ずしもＳＳＢインデックスと関連する必要はない。
【０２４１】
１個のスロット内に割り当てられるＲＡＲ受信のための候補モニタリングＯｃｃａｓｉｏｎはＵＥに知らせられてもよく、ＰＲＡＣＨメッセージのためのＤＣＩがモニタリングウィンドー内の各スロットで指示されたモニタリングＯｃｃａｓｉｏｎ上から送信されてもよい。
【０２４２】
ＰＢＣＨを介してＲＭＳＩ受信のためのモニタリング回数が１個のスロットにおいて１と指示される場合、システム内の全てのＵＥは、モニタリングウィンドーの間に各スロットの最初のシンボルから始めて、ＰＤＣＣＨモニタリングＯｃｃａｓｉｏｎをモニタリングする。
【０２４３】
１個のスロットで指示されたモニタリングＯｃｃａｓｉｏｎが２である場合、ＵＥは、スロットにおいてモニタリングするモニタリングＯｃｃａｓｉｏｎ、即ち、ＵＥがモニタリングをスロットの最初のシンボルから始めるか、又はシンボル＃２、＃３又は＃７のように、スロット中間からモニタリングを始めるかを把握する必要がある。一方、モニタリングＯｃｃａｓｉｏｎは、ＳＳＢインデックスに関連して、ＳＳＢインデックスが既にＲＡ−ＲＮＴＩ生成と関連しているため、ＲＡ−ＲＮＴＩ値とモニタリングＯｃｃａｓｉｏｎを関連付けることがより簡単である。
【０２４４】
例えば、ＲＡ−ＲＮＴＩ値が偶数である場合、ＵＥは、モニタリングウィンドー内の全てのスロットの最初のシンボルから始めるモニタリングＯｃｃａｓｉｏｎ内においてＰＤＣＣＨ検出を試みることができる。なお、ＲＡ−ＲＮＴＩ値が奇数である場合、ＵＥは、モニタリングウィンドー内の全てのスロットの中間に位置したモニタリングＯｃｃａｓｉｏｎにおいてＰＤＣＣＨの検出を試みる。
【０２４５】
図１８は、無線装置１０とネットワークノード２０との間の通信の例を示すブロック図である。ここで、ネットワークノード２０は、図１８の無線装置又はＵＥに取り替えられてもよい。
【０２４６】
本明細書において、無線装置１０又はネットワークノード２０は、１つ以上の他の無線装置、ネットワークノード及び／又はネットワークの他の要素と通信するためのトランシーバ（Ｔｒａｎｓｃｅｉｖｅｒ）１１，２１を含む。トランシーバ１１，２１は、１つ以上の送信器、１つ以上の受信器及び／又は１つ以上の通信インターフェースを含むことができる。
【０２４７】
また、前記トランシーバ１１，２１は、１つ以上のアンテナを備えてもよい。アンテナは、プロセッシングチップ１２，２２の制御下において、本発明の一実施例に従い、トランシーバ１１，２１によって処理された信号を外部に送信したり、外部から無線信号を受信してプロセッシングチップ１２，２２へ伝達したりする機能を果たす。アンテナは、アンテナポートとも呼ばれる。各アンテナは、１つの物理アンテナに該当するか、２つ以上の物理アンテナ要素（ｅｌｅｍｅｎｔ）の組み合わせによって構成される（ｃｏｎｆｉｇｕｒｅｄ）。各アンテナから送信された信号は、無線装置１０又はネットワークノード２０によってそれ以上分解されることはない。該当アンテナに対応して送信された参照信号（ｒｅｆｅｒｅｎｃｅ  ｓｉｇｎａｌ，ＲＳ）は、無線装置１０又はネットワークノード２０の観点から見たアンテナを定義して、チャネルが一物理アンテナからの単一（ｓｉｎｇｌｅ）無線チャネルであるか、又は前記アンテナを含む複数の物理アンテナ要素（ｅｌｅｍｅｎｔ）からの合成（ｃｏｍｐｏｓｉｔｅ）チャネルであるかに関係なく、無線装置１０又はネットワークノード２０にとって前記アンテナに対するチャネル推定を可能にする。即ち、アンテナは、前記アンテナ上のシンボルを伝達するチャネルが同一アンテナ上の他のシンボルが伝達される前記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ，ＭＩＭＯ）機能を支援するトランシーバの場合は２つ以上のアンテナと接続されてもよい。
【０２４８】
本発明において、トランシーバ１１，２１は、受信ビームフォーミングと送信ビームフォーミングとを支援することができる。例えば、本発明において、トランシーバ１１，２１は、図８乃至図１０に例示された機能を行うように構成される。
【０２４９】
また、無線装置１０又はネットワークノード２０は、プロセッシングチップ１２，２２を含む。プロセッシングチップ１２，２２は、プロセッサ１３，２３のような少なくとも１つのプロセッサ及びメモリ１４，２４のような少なくとも１つのメモリ装置を含むことができる。
【０２５０】
プロセッシングチップ１２，２２は、本明細書において説明された方法及び／又はプロセスのうち少なくとも１つ以上を制御することができる。換言すれば、プロセッシングチップ１２，２２は、本明細書に記載された少なくとも１つ以上の実施例を実行するように構成される。
【０２５１】
プロセッサ１３，２３は、本明細書において説明された無線装置１０又はネットワークノード２０の機能を行うための少なくとも１つのプロセッサを含む。
【０２５２】
例えば、１つ以上のプロセッサは、図１８の１つ以上のトランシーバ１１，２１を制御して、情報を送受信することができる。
【０２５３】
また、プロセッシングチップ１２，２２に含まれたプロセッサ１３，２３は、無線装置１０又はネットワークノード２０の外部に送信される信号及び／又はデータに対して所定の符号化（ｃｏｄｉｎｇ）及び変調（ｍｏｄｕｌａｔｉｏｎ）を行った後、トランシーバ１１，２１に送信する。例えば、プロセッサ１３，２３は、送信しようとするデータ列を逆多重化及びチャネル符号化、スクランブリング及び変調過程などを経て、Ｋ個のレイヤに変換する。符号化されたデータ列は、コードワードとも呼ばれ、ＭＡＣ層が提供するデータブロックである輸送ブロックと等価である。一輸送ブロック（ｔｒａｎｓｐｏｒｔ  ｂｌｏｃｋ，ＴＢ）は、一コードワードに符号化され、各コードワードは、１つ以上のレイヤの形態として受信装置に送信される。周波数アップ変換のために、トランシーバ１１，２１は、オシレータ（ｏｓｃｉｌｌａｔｏｒ）を含むことができる。トランシーバ１１，２１は、Ｎｔ個（Ｎｔは、１以上の正の整数）の送信アンテナを含むことができる。
【０２５４】
また、プロセッシングチップ１２，２２は、データ、プログラミング可能なソフトウェアコード及び／又は本明細書に説明された実施例を行うための他の情報を記憶するように構成されたメモリ１４，２４を含む。
【０２５５】
換言すれば、本明細書による実施例において、メモリ１４，２４は、プロセッサ１３，２３のような少なくとも１つのプロセッサによって実行（ｅｘｅｃｕｔｅｄ）されるとき、プロセッサ１３，２３にとって、図１８のプロセッサ１３，２３によって制御されるプロセスのうち一部又は全部を行わせるか、図１乃至図１７に基づいて、本明細書に説明された実施例を実行するための命令を含むソフトウェアコード１５，２５を記憶する。
【０２５６】
具体的に、本発明の実施例による無線装置１０のプロセッシングチップ１２は、実際に送信されたＳＳＢ（Ａｃｔｕａｌ  Ｔｒａｎｓｍｉｔｔｅｄ  ＳＳＢ；ＡＴＳＳ）に関する第１の情報及びＰＲＡＣＨリソース設定のための第２の情報を受信するように制御して、特定区間の間のスロット及び該当スロットに含まれたシンボルの用途を割り当てるためのＵＬ／ＤＬ設定に関する第３の情報を受信するように制御する。その後、プロセッシングチップ１２は、第１の情報、第２の情報及び第３の情報のうち少なくとも１つに基づいて有効ＰＲＡＣＨ  Ｏｃｃａｓｉｏｎを導出するが、このとき、有効ＰＲＡＣＨ  Ｏｃｃａｓｉｏｎは、有効ＰＲＡＣＨスロット内に含まれた有効ＰＲＡＣＨシンボルの集合（ｓｅｔ）を意味することができる。また、前記有効ＰＲＡＣＨ  Ｏｃｃａｓｉｏｎを導出するための具体的な方法は、本明細書において上述した具体的な実施例に従ってもよい。プロセッシングチップ１２は、導出された有効ＰＲＡＣＨ  ＯｃｃａｓｉｏｎによってＰＲＡＣＨを送信するように制御する。
【０２５７】
また、本発明の実施例によるネットワークノード２０のプロセッシングチップ２２は、実際に送信されたＳＳＢ（Ａｃｔｕａｌ  Ｔｒａｎｓｍｉｔｔｅｄ  ＳＳＢ；ＡＴＳＳ）に関する第１の情報及びＰＲＡＣＨリソース設定のための第２の情報を送信するように制御する。その後、プロセッシングチップ２２は、特定区間の間のスロット及び該当スロットに含まれたシンボルの用途を割り当てるためのＵＬ／ＤＬ設定に関する第３の情報を送信するように制御する。プロセッシングチップ２２は、前記第１の情報、第２の情報及び第３の情報のうち少なくとも１つに基づいて決定された有効ＰＲＡＣＨ  ＯｃｃａｓｉｏｎによってＰＲＡＣＨを受信するように制御する。一方、前記有効ＰＲＡＣＨ  Ｏｃｃａｓｉｏｎが決定される具体的な方法は、本明細書において上述した具体的な実施例に従ってもよい。
【０２５８】
以上に説明した実施例は本発明の構成要素及び特徴が所定形態に結合されたものである。それぞれの構成要素又は特徴は別に明示的に言及しない限り、選択的なものに考慮しなければならない。それぞれの構成要素又は特徴は他の構成要素や特徴と組み合わせられない形態に実施することができる。また、一部の構成要素及び／又は特徴を組み合わせて本発明の実施例を構成することも可能である。本発明の実施例で説明する動作の順序は変更可能である。ある実施例の一部の構成や特徴は他の実施例に含まれることができ、あるいは他の実施例の対応する構成又は特徴に取り替えられることができる。請求範囲で明示的な引用関係がない請求項を組み合わせて実施例を構成するか出願後の補正によって新たな請求項として含ませることができるのはいうまでもない。
【０２５９】
この明細書にて説明した基地局により行われる特定の動作は、場合によってはその上位ノード（ｕｐｐｅｒ  ｎｏｄｅ）により行われることができる。即ち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードにより行われることができる。基地局は固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に代替できる。
【０２６０】
本発明に係る実施例は多様な手段、例えば、ハードウェア、ファームウェア、ソフトウェア又はこれらの結合などによって具現できる。ハードウェアによる具現の場合、本発明の一実施例は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【０２６１】
ファームウェアやソフトウェアによる具現の場合、本発明の一実施例は、以上で説明した機能又は動作を行うモジュール、手順、関数などの形態で具現することができる。ソフトウェアコードはメモリユニットに格納してプロセッサによって駆動することができる。メモリユニットはプロセッサの内部又は外部に位置し、既に公知された多様な手段によってプロセッサとデータをやり取りすることができる。
【０２６２】
本発明は本発明の特徴を逸脱しない範囲内で他の特定の形態に具体化されることができるのは当業者に明らかである。したがって、前記詳細な説明はすべての面で制限的に解釈されてはいけなく、例示的なものに考慮されなければならない。本発明の範囲は添付の請求範囲の合理的解釈によって決定されなければならなく、本発明の等価的範囲内でのすべての変更は本発明の範囲に含まれる。
【産業上の利用可能性】
【０２６３】
上述のような、物理任意接続チャネルを送受信する方法及びそのための装置は、５世代ＮｅｗＲＡＴシステムに適用される例を中心として説明したが、５世代ＮｅｗＲＡＴシステムの他にも様々な無線通信システムに適用することができる。
【図１（Ａ）】
0006843252.tif 000012
【図１（Ｂ）】
0006843252.tif 000013
【図２】
0006843252.tif 000014
【図３（ａ）】
0006843252.tif 000015
【図３（ｂ）】
0006843252.tif 000016
【図４】
0006843252.tif 000017
【図５】
0006843252.tif 000018
【図６】
0006843252.tif 000019
【図７】
0006843252.tif 000020
【図８】
0006843252.tif 000021
【図９】
0006843252.tif 000022
【図１０】
0006843252.tif 000023
【図１１】
0006843252.tif 000024
【図１２】
0006843252.tif 000025
【図１３】
0006843252.tif 000026
【図１４（ａ）】
0006843252.tif 000027
【図１４（ｂ）】
0006843252.tif 000028
【図１５】
0006843252.tif 000029
【図１６】
0006843252.tif 000030
【図１７（ａ）】
0006843252.tif 000031
【図１７（ｂ）】
0006843252.tif 000032
【図１８】
0006843252.tif 000033